(57)【要約】【課題】  より正確に表示装置の特性を評価する。【解決手段】  測定対象ディスプレイ１１は、測定の対象となる画像を表示する。高速カメラ１２は、測定対象ディスプレイ１１の表示画面を撮影する。データ処理装置１８は、撮影により得られた撮影画像を表示する。データ処理装置１８は、高速カメラ１２の軸の測定対象ディスプレイ１１の軸に対する傾き角、および撮影画像上における測定対象ディスプレイ１１の画素の画像の大きさを求める。また、データ処理装置１８は、高速カメラ１２の軸の測定対象ディスプレイ１１の軸に対する傾き角、および撮影画像上における測定対象ディスプレイ１１の画素の画像の大きさを用いて、撮影画像データを、測定対象ディスプレイ１１の画素を単位とするデータに変換する。本発明は、表示装置の特性を測定する測定システムに適用することができる。【選択図】      図１
2006243518.tif 000002
【特許請求の範囲】
【請求項１】
測定の対象となる、画像を表示している測定対象ディスプレイを撮影して得られた撮影画像のほぼ中央の領域であって、前記撮影画像上の前記測定対象ディスプレイの画素の画像の大きさに対して所定の関係を有する領域である第１の領域の画素の画素値と、前記第１の領域と同じ大きさの前記撮影画像上の前記第１の領域とは異なる第２の領域の画素の画素値とを比較することによって、前記撮影画像上の前記測定対象ディスプレイの画素の画像の大きさ、および前記第１の領域の、前記撮影画像上の前記測定対象ディスプレイの画素の画像に対する角度を演算する演算手段と、
前記画素の画像の大きさ、および前記第１の領域の角度を用いて、前記測定対象ディスプレイを撮影して得られた撮影画像のデータを、前記測定対象ディスプレイの画素を単位とするデータに変換する変換手段と
を備えることを特徴とする情報処理装置。
【請求項２】
前記演算手段は、前記画素の画像の大きさとほぼ同じ大きさの領域を前記第１の領域として演算を行う
ことを特徴とする請求項１に記載の情報処理装置。
【請求項３】
前記演算手段は、前記測定対象ディスプレイに表示された画像であって、前記測定対象ディスプレイの画素が並ぶ第１の方向に平行な直線を第１の辺とし、前記第１の方向と垂直な第２の方向に平行な直線を第２の辺とする、前記測定対象ディスプレイの複数個の画素からなる長方形の第１のブロックのそれぞれが隣接して、前記第１の方向および前記第２の方向に複数個並べられた画像であるクロスハッチ画像を表示している前記測定対象ディスプレイを撮影して得られた撮影画像のほぼ中央の長方形の領域であって、前記撮影画像上の前記第１のブロックの画像の大きさとほぼ同じ大きさの領域を前記第１の領域として演算を行う
ことを特徴とする請求項１に記載の情報処理装置。
【請求項４】
前記変換手段は、１つのフィールドまたは１つのフレームを表示する期間よりも短い露光期間で撮影して得られた前記撮影画像のデータを、前記測定対象ディスプレイの画素を単位とするデータに変換する
ことを特徴とする請求項１に記載の情報処理装置。
【請求項５】
測定の対象となる、画像を表示している測定対象ディスプレイを撮影して得られた撮影画像のほぼ中央の領域であって、前記撮影画像上の前記測定対象ディスプレイの画素の画像の大きさに対して所定の関係を有する領域である第１の領域の画素の画素値と、前記第１の領域と同じ大きさの前記撮影画像上の前記第１の領域とは異なる第２の領域の画素の画素値とを比較することによって、前記撮影画像上の前記測定対象ディスプレイの画素の画像の大きさ、および前記第１の領域の、前記撮影画像上の前記測定対象ディスプレイの画素の画像に対する角度を演算する演算ステップと、
前記画素の画像の大きさ、および前記第１の領域の角度を用いて、前記測定対象ディスプレイを撮影して得られた撮影画像のデータを、前記測定対象ディスプレイの画素を単位とするデータに変換する変換ステップと
を含むことを特徴とする情報処理方法。
【請求項６】
測定の対象となる、画像を表示している測定対象ディスプレイを撮影して得られた撮影画像のほぼ中央の領域であって、前記撮影画像上の前記測定対象ディスプレイの画素の画像の大きさに対して所定の関係を有する領域である第１の領域の画素の画素値と、前記第１の領域と同じ大きさの前記撮影画像上の前記第１の領域とは異なる第２の領域の画素の画素値とを比較することによって、前記撮影画像上の前記測定対象ディスプレイの画素の画像の大きさ、および前記第１の領域の、前記撮影画像上の前記測定対象ディスプレイの画素の画像に対する角度を演算する演算ステップと、
前記画素の画像の大きさ、および前記第１の領域の角度を用いて、前記測定対象ディスプレイを撮影して得られた撮影画像のデータを、前記測定対象ディスプレイの画素を単位とするデータに変換する変換ステップと
を含むことを特徴とする情報処理をコンピュータに実行させるプログラムが記録されている記録媒体。
【請求項７】
測定の対象となる、画像を表示している測定対象ディスプレイを撮影して得られた撮影画像のほぼ中央の領域であって、前記撮影画像上の前記測定対象ディスプレイの画素の画像の大きさに対して所定の関係を有する領域である第１の領域の画素の画素値と、前記第１の領域と同じ大きさの前記撮影画像上の前記第１の領域とは異なる第２の領域の画素の画素値とを比較することによって、前記撮影画像上の前記測定対象ディスプレイの画素の画像の大きさ、および前記第１の領域の、前記撮影画像上の前記測定対象ディスプレイの画素の画像に対する角度を演算する演算ステップと、
前記画素の画像の大きさ、および前記第１の領域の角度を用いて、前記測定対象ディスプレイを撮影して得られた撮影画像のデータを、前記測定対象ディスプレイの画素を単位とするデータに変換する変換ステップと
をコンピュータに実行させることを特徴とするプログラム。
【発明の詳細な説明】
【技術分野】
【０００１】
本発明は情報処理装置および方法、記録媒体、並びにプログラムに関し、特に、表示装置の特性をより正確に評価することができるようにした情報処理装置および方法、記録媒体、並びにプログラムに関する。
【背景技術】
【０００２】
近年、表示装置として、LCD（Liquid Crystal Display）、PDP（Plasma Display Panel）、DMD（Digital Micromirror Device）（商標）などのさまざまな表示デバイスを用いた表示装置が普及してきている。これにともない、表示画面の輝度分布や輝度値、応答特性などの表示装置の特性を測定し、表示装置を評価する方法が数多く提案されている。
【０００３】
例えば、LCDなどのホールド型の表示装置において、人間が、表示画面に表示された動く物体（移動物体）、すなわち、画面上を動く画像を観察する場合、人間の目は、その移動物体を追従（追視）しながら観察するので（人間の注視点が常に移動するので）、いわゆる動きぼけが生じ、人間の目には、表示画面上の移動物体がぼけて見えることが知られている。
【０００４】
このような人間の目が知覚する動きぼけの量を測定するための画像を得る方法として、例えば、表示装置に表示された画像（動画像）を、回動するミラーで反射させて、カメラで撮影する方法が提案されている。すなわち、表示装置に表示させた画像を、回動するミラーに写し、カメラは、ミラーに写っている画像を撮影する。このとき、表示装置から出射した光は、ミラーにおいて反射して、カメラに入射する。したがって、ミラーを所定の角速度で回動させることにより、カメラは、表示装置の表示画面に対して、相対的に移動しながら表示画面に表示された画像を撮影することになり、これにより、表示画面に表示された複数の静止画像が実質的に合成された１つの静止画像、すなわち、人間の目が知覚した動きぼけを再現した静止画像を得ることができる。この方法においては、カメラを直接回動させないため、カメラを回動させる可動部（駆動部）を設ける必要がない。
【０００５】
また、動きぼけを再現する方法として、表示画面に表示された動く物体（移動物体）の画像を時系列に撮影し、撮影により得られた画像データを、それぞれ表示画面に表示された移動物体の移動方向に同調させて、ずらしながら重ね合わせることによって、人間の目が知覚した動きぼけを再現した画像を生成しているものもある（例えば、特許文献１参照）。
【０００６】
【特許文献１】特開２００１−２０４０４９号公報
【発明の開示】
【発明が解決しようとする課題】
【０００７】
しかしながら、上述した、ミラーを回動させて、人間の目が知覚する動きぼけを再現する方法においては、ミラーを回動させる回転軸の位置および角度の調整を正確に行うことができないため、表示装置の表示画面上の移動物体が移動する方向に、ミラーを正確に回動させることができなかった。その結果、人間の目が知覚する動きぼけを正確に再現することができなかった。また、ミラーを回動させて、人間の目が知覚する動きぼけを再現する方法においては、表示画面上の移動物体の動きは、水平方向（配置したミラーが回動する方向）の等速運動に限られているため、その他の動き、例えば、斜め方向の動きや垂直方向の動きには対応できなかった。
【０００８】
さらに、測定の対象となる表示装置の表示画面に対して、その表示画面（表示画面に表示された画像）を撮影するカメラが傾いていると、撮影された画像は、測定の対象となる表示装置の表示画面に対して、カメラが傾いている角度だけ傾いてしまう。そこで、角度にずれがないようにするのに長い時間をかけて角度を調整しなければならない課題があった。
【０００９】
さらに、また、従来、表示装置の特性の評価は、表示装置の表示画面全体の明るさもしくは色の変化、または表示装置の表示画面上の１つの画素と比較して大きい領域の明るさもしくは色の変化を測定した結果に基づいて行われているため、表示装置の特性を正確に測定し、評価することができなかった。
【００１０】
本発明は、このような状況に鑑みてなされたものであり、表示装置の特性を迅速かつより正確に測定し、評価することができるようにするものである。
【課題を解決するための手段】
【００１１】
本発明の情報処理装置は、測定の対象となる、画像を表示している測定対象ディスプレイを撮影して得られた撮影画像のほぼ中央の領域であって、撮影画像上の測定対象ディスプレイの画素の画像の大きさに対して所定の関係を有する領域である第１の領域の画素の画素値と、第１の領域と同じ大きさの撮影画像上の第１の領域とは異なる第２の領域の画素の画素値とを比較することによって、撮影画像上の測定対象ディスプレイの画素の画像の大きさ、および第１の領域の、撮影画像上の測定対象ディスプレイの画素の画像に対する角度を演算する演算手段と、撮影画像上の測定対象ディスプレイの画素の画像の大きさ、および第１の領域の角度を用いて、測定対象ディスプレイを撮影して得られた撮影画像のデータを、測定対象ディスプレイの画素を単位とするデータに変換する変換手段とを備えることを特徴とする。
【００１２】
演算手段には、撮影画像上の測定対象ディスプレイの画素の画像の大きさとほぼ同じ大きさの領域を第１の領域として演算させるようにすることができる。
【００１３】
演算手段には、測定対象ディスプレイに表示された画像であって、測定対象ディスプレイの画素が並ぶ第１の方向に平行な直線を第１の辺とし、第１の方向と垂直な第２の方向に平行な直線を第２の辺とする、測定対象ディスプレイの複数個の画素からなる長方形の第１のブロックのそれぞれが隣接して、第１の方向および第２の方向に複数個並べられた画像であるクロスハッチ画像を表示している測定対象ディスプレイを撮影して得られた撮影画像のほぼ中央の長方形の領域であって、撮影画像上の第１のブロックの画像の大きさとほぼ同じ大きさの領域を第１の領域として演算させるようにすることができる。
【００１４】
変換手段には、１つのフィールドまたは１つのフレームを表示する期間よりも短い露光期間で撮影して得られた撮影画像のデータを、測定対象ディスプレイの画素を単位とするデータに変換させるようにすることができる。
【００１５】
本発明の情報処理方法は、測定の対象となる、画像を表示している測定対象ディスプレイを撮影して得られた撮影画像のほぼ中央の領域であって、撮影画像上の測定対象ディスプレイの画素の画像の大きさに対して所定の関係を有する領域である第１の領域の画素の画素値と、第１の領域と同じ大きさの撮影画像上の第１の領域とは異なる第２の領域の画素の画素値とを比較することによって、撮影画像上の測定対象ディスプレイの画素の画像の大きさ、および第１の領域の、撮影画像上の測定対象ディスプレイの画素の画像に対する角度を演算する演算ステップと、撮影画像上の測定対象ディスプレイの画素の画像の大きさ、および第１の領域の角度を用いて、測定対象ディスプレイを撮影して得られた撮影画像のデータを、測定対象ディスプレイの画素を単位とするデータに変換する変換ステップとを含むことを特徴とする。
【００１６】
本発明の記録媒体のプログラムは、測定の対象となる、画像を表示している測定対象ディスプレイを撮影して得られた撮影画像のほぼ中央の領域であって、撮影画像上の測定対象ディスプレイの画素の画像の大きさに対して所定の関係を有する領域である第１の領域の画素の画素値と、第１の領域と同じ大きさの撮影画像上の第１の領域とは異なる第２の領域の画素の画素値とを比較することによって、撮影画像上の測定対象ディスプレイの画素の画像の大きさ、および第１の領域の、撮影画像上の測定対象ディスプレイの画素の画像に対する角度を演算する演算ステップと、撮影画像上の測定対象ディスプレイの画素の画像の大きさ、および第１の領域の角度を用いて、測定対象ディスプレイを撮影して得られた撮影画像のデータを、測定対象ディスプレイの画素を単位とするデータに変換する変換ステップとを含むことを特徴とする。
【００１７】
本発明のプログラムは、測定の対象となる、画像を表示している測定対象ディスプレイを撮影して得られた撮影画像のほぼ中央の領域であって、撮影画像上の測定対象ディスプレイの画素の画像の大きさに対して所定の関係を有する領域である第１の領域の画素の画素値と、第１の領域と同じ大きさの撮影画像上の第１の領域とは異なる第２の領域の画素の画素値とを比較することによって、撮影画像上の測定対象ディスプレイの画素の画像の大きさ、および第１の領域の、撮影画像上の測定対象ディスプレイの画素の画像に対する角度を演算する演算ステップと、撮影画像上の測定対象ディスプレイの画素の画像の大きさ、および第１の領域の角度を用いて、測定対象ディスプレイを撮影して得られた撮影画像のデータを、測定対象ディスプレイの画素を単位とするデータに変換する変換ステップとをコンピュータに実行させることを特徴とする。
【００１８】
本発明の情報処理装置および方法、記録媒体、並びにプログラムにおいては、測定の対象となる、画像を表示している測定対象ディスプレイを撮影して得られた撮影画像のほぼ中央の領域であって、撮影画像上の測定対象ディスプレイの画素の画像の大きさに対して所定の関係を有する領域である第１の領域の画素の画素値と、第１の領域と同じ大きさの撮影画像上の第１の領域とは異なる第２の領域の画素の画素値とが比較されることによって、撮影画像上の測定対象ディスプレイの画素の画像の大きさ、および第１の領域の、撮影画像上の測定対象ディスプレイの画素の画像に対する角度が演算され、撮影画像上の測定対象ディスプレイの画素の画像の大きさ、および第１の領域の角度が用いられて、測定対象ディスプレイを撮影して得られた撮影画像のデータが、測定対象ディスプレイの画素を単位とするデータに変換される。
【発明の効果】
【００１９】
本発明によれば、表示装置の特性を迅速かつより正確に測定し、評価することができる。
【発明を実施するための最良の形態】
【００２０】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２１】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２２】
請求項１に記載の情報処理装置は、測定の対象となる、画像を表示している測定対象ディスプレイ（例えば、図１の測定対象ディスプレイ１１）を撮影して得られた撮影画像のほぼ中央の領域であって、撮影画像上の測定対象ディスプレイの画素の画像の大きさに対して所定の関係を有する領域である第１の領域（例えば、図７の基準ブロック４０１）の画素の画素値と、第１の領域と同じ大きさの撮影画像上の第１の領域とは異なる第２の領域（例えば、図７のマッチング候補ブロック４０３）の画素の画素値とを比較することによって、撮影画像上の測定対象ディスプレイの画素の画像の大きさ、および第１の領域の、撮影画像上の測定対象ディスプレイの画素の画像に対する角度を演算する演算手段（例えば、図４の演算部２１５）と、撮影画像上の測定対象ディスプレイの画素の画像の大きさ、および第１の領域の角度を用いて、測定対象ディスプレイを撮影して得られた撮影画像のデータを、測定対象ディスプレイの画素を単位とするデータに変換する変換手段（例えば、図５の変換部３１７）とを備えることを特徴とする。
【００２３】
請求項２に記載の情報処理装置は、演算手段（例えば、図６のステップＳ７の処理を実行する演算部２１５）は、撮影画像上の測定対象ディスプレイの画素の画像の大きさとほぼ同じ大きさの領域を第１の領域（例えば、図７の基準ブロック４０１）として演算を行うことを特徴とする。
【００２４】
請求項３に記載の情報処理装置は、演算手段（例えば、図９のステップＳ２７の処理を実行する演算部２１５）は、測定対象ディスプレイに表示された画像であって、測定対象ディスプレイの画素が並ぶ第１の方向に平行な直線を第１の辺とし、第１の方向と垂直な第２の方向に平行な直線を第２の辺とする、測定対象ディスプレイの複数個の画素からなる長方形の第１のブロックのそれぞれが隣接して、第１の方向および第２の方向に複数個並べられた画像であるクロスハッチ画像（例えば、図１０に示すクロスハッチ画像）を表示している測定対象ディスプレイを撮影して得られた撮影画像のほぼ中央の長方形の領域であって、撮影画像上の第１のブロックの画像の大きさとほぼ同じ大きさの領域を第１の領域として演算を行うことを特徴とする。
【００２５】
請求項４に記載の情報処理装置は、変換手段（例えば、図２０のステップＳ１０３の処理を実行する変換部３１７）は、１つのフィールドまたは１つのフレームを表示する期間よりも短い露光期間で撮影して得られた撮影画像のデータ（例えば、図２０のステップＳ１０２の処理において撮影された撮影画像のデータ）を、測定対象ディスプレイの画素を単位とするデータに変換することを特徴とする。
【００２６】
請求項５に記載の情報処理方法は、測定の対象となる、画像を表示している測定対象ディスプレイ（例えば、図１の測定対象ディスプレイ１１）を撮影して得られた撮影画像のほぼ中央の領域であって、撮影画像上の測定対象ディスプレイの画素の画像の大きさに対して所定の関係を有する領域である第１の領域（例えば、図７の基準ブロック４０１）の画素の画素値と、第１の領域と同じ大きさの撮影画像上の第１の領域とは異なる第２の領域（例えば、図７のマッチング候補ブロック４０３）の画素の画素値とを比較することによって、撮影画像上の測定対象ディスプレイの画素の画像の大きさ、および第１の領域の、撮影画像上の測定対象ディスプレイの画素の画像に対する角度を演算する演算ステップ（例えば、図６のステップＳ７）と、撮影画像上の測定対象ディスプレイの画素の画像の大きさ、および第１の領域の角度を用いて、測定対象ディスプレイを撮影して得られた撮影画像のデータを、測定対象ディスプレイの画素を単位とするデータに変換する変換ステップ（例えば、図２０のステップＳ１０３）とを含むことを特徴とする。
【００２７】
なお、請求項６に記載の記録媒体および請求項７に記載のプログラムも、上述した請求項５に記載の情報処理方法と基本的に同様の処理であるため、繰り返しになるのでその説明は省略する。
【００２８】
本発明は、表示装置の特性を測定する測定システムに適用することができる。
【００２９】
以下、図面を参照して本発明を適用した実施の形態について説明する。
【００３０】
図１は、本発明を適用した測定システムの一実施の形態の構成例を示している。この測定システム１においては、例えば、CRT（Cathode Ray Tube）、LCD、PDPなどの表示デバイスを用いた、測定対象ディスプレイ１１に表示された画像が、CCD（Charged Coupled Device）カメラなどの高速カメラ１２によって撮影される。
【００３１】
高速カメラ１２は、カメラヘッド３１、レンズ３２、および高速カメラ本体３３からなる。カメラヘッド３１は、レンズ３２を介して入射された被写体の光学的な像を電気的な信号に変換する。カメラヘッド３１は、支持部材１３に支持されており、測定対象ディスプレイ１１および支持部材１３は、水平な台１４上に配置されている。支持部材１３は、測定対象ディスプレイ１１の表示画面に対するカメラヘッド３１の角度および位置を変えることができるように、カメラヘッド３１を支持する。また、高速カメラ本体３３は、そこに接続されているコントローラ１７の制御のもと、カメラヘッド３１に測定対象ディスプレイ１１に表示された画像を撮影させ、これにより得られた画像データ（撮影画像データ）を、コントローラ１７を介して、データ処理装置１８に供給する。
【００３２】
映像信号発生器１５は、有線により測定対象ディスプレイ１１および同期信号発生器１６に接続されており、動画像または静止画像を表示させるための映像信号を発生し、発生した映像信号を測定対象ディスプレイ１１に供給し、表示させるとともに、映像信号に同期している、例えば、周波数が60Hzの同期信号を同期信号発生器１６に供給する。
【００３３】
同期信号発生器１６は、映像信号発生器１５から供給された同期信号を逓倍、または位相シフトさせて、有線で接続されている高速カメラ本体３３に供給する。例えば、同期信号発生器１６は、映像信号発生器１５から供給された同期信号の１０逓倍の同期信号を発生させて、高速カメラ本体３３に供給する。
【００３４】
高速カメラ本体３３は、コントローラ１７の制御の基に、カメラヘッド３１から供給された、アナログ信号である画像信号を、デジタルデータである撮影画像データ（画像データ）に変換する。高速カメラ本体３３は、コントローラ１７を介して撮影画像データをデータ処理装置１８に供給する。例えば、測定対象ディスプレイ１１に対する高速カメラ１２の傾きを補正する処理（後述するキャリブレーション処理）を行う場合、高速カメラ１２が、測定対象ディスプレイ１１の表示画面を撮影するとき、撮影した画像がサブフィールドの画像とならないように、高速カメラ本体３３は、コントローラ１７の制御のもと、同期信号発生器１６からの同期信号に同期して、カメラヘッド３１に、測定対象ディスプレイ１１に表示された画像を、２フィールドの期間より長い期間、例えば、２乃至４フィールドの期間の露光期間で撮影させる。
【００３５】
これに対して、例えば、測定対象ディスプレイ１１の特性を測定する場合、高速カメラ１２が測定対象ディスプレイ１１に表示されたサブフィールドの画像を撮影するとき、撮影した画像がサブフィールドの画像となるように、高速カメラ本体３３は、コントローラ１７の制御のもと、同期信号発生器１６からの同期信号に同期して、高速カメラ１２に、測定対象ディスプレイ１１に表示された画像を１０００コマ／秒で撮影させる。
【００３６】
なお、高速カメラ１２が１秒当たりに撮影するコマ数が、測定対象ディスプレイ１１に表示される画像のコマ数に比べて十分に多い場合には、同期信号発生器１６が、高速カメラ本体３３に供給する同期信号は、必ずしも映像信号発生器１５から供給された同期信号に同期させなくてもよい。
【００３７】
コントローラ１７は、例えば、パーソナルコンピュータまたは専用の制御装置からなり、高速カメラ本体３３を制御する。また、コントローラ１７は、高速カメラ本体３３から供給された撮影画像データを、データ処理装置１８に供給する。
【００３８】
データ処理装置１８は、映像信号発生器１５を制御し、映像信号発生器１５に所定の映像信号を発生させて、測定対象ディスプレイ１１に供給させることにより、測定対象ディスプレイ１１に画像を表示させる。
【００３９】
また、データ処理装置１８は、有線または無線によりコントローラ１７に接続されており、データ処理装置１８は、必要に応じてコントローラ１７を制御することにより、高速カメラ１２に、測定対象ディスプレイ１１に表示された画像（表示画像）を撮影させる。データ処理装置１８は、コントローラ１７を介して、高速カメラ１２から供給された撮影画像データを基に、観察ディスプレイ１８Ａに画像を表示するか、または撮影画像データを基に、所定の演算を行うことにより得られた、測定対象ディスプレイ１１の特性を示す値を観察ディスプレイ１８Ａに表示する。なお、以下、撮影画像データを基に表示される画像を、撮影画像とも称する。
【００４０】
さらに、データ処理装置１８は、コントローラ１７を介して高速カメラ１２から供給された撮影画像データを基に、撮影画像データで表示される画像における、測定対象ディスプレイ１１の画素の画像を特定する。例えば、データ処理装置１８は、測定対象ディスプレイ１１に表示された画像を、測定対象ディスプレイ１１に表示される画像の１コマ（２フィールドまたは１フレーム）の期間と等しいか、それより長い期間の露光期間で撮影して得られた撮影画像データを基に、撮影画像データで表示される画像における、測定対象ディスプレイ１１の画素のそれぞれに対する画像の範囲を特定する。なお、１コマはフィールドとフレームのいずれでもよいが、以下においてはフィールドとして説明する。
【００４１】
そして、データ処理装置１８は、撮影画像データを、測定対象ディスプレイ１１の画素の輝度または色（赤（Ｒ）成分、緑（Ｇ）成分、および青（Ｂ）成分の値）を示す画素データに変換するための式を生成する。
【００４２】
さらに、データ処理装置１８は、生成した式を基に、コントローラ１７を介して高速カメラ１２から供給された撮影画像データから、測定対象ディスプレイ１１の画素の輝度または色を示す画素データを演算する。例えば、データ処理装置１８は、生成した式を基に、測定対象ディスプレイ１１に表示された画像を１０００コマ／秒で撮影して得られた撮影画像データから、測定対象ディスプレイ１１の画素の輝度または色を示す画素データを演算する。
【００４３】
データ処理装置１８は、例えば、図２に示されるように構成される。図２において、CPU（Central Processing Unit）１２１は、ROM（Read Only Memory）１２２に記憶されているプログラム、または記憶部１２８からRAM（Random Access Memory）１２３にロードされたプログラムに従って各種の処理を実行する。RAM１２３にはまた、CPU１２１が各種の処理を実行する上において必要なデータなども適宜記憶される。
【００４４】
CPU１２１、ROM１２２、およびRAM１２３は、バス１２４を介して相互に接続されている。このバス１２４にはまた、入出力インタフェース１２５も接続されている。
【００４５】
入出力インタフェース１２５には、キーボード、マウスなどよりなる入力部１２６、CRT、LCDなどよりなる観察ディスプレイ１８Ａ、並びにスピーカなどよりなる出力部１２７、ハードディスクなどより構成される記憶部１２８、モデムなどより構成される通信部１２９が接続されている。通信部１２９は、インターネットを含む図示せぬネットワークを介しての通信処理を行う。
【００４６】
入出力インタフェース１２５にはまた、必要に応じてドライブ１３０が接続され、磁気ディスク、光ディスク、光磁気ディスク、或いは半導体メモリなどのリムーバブルメディア１３１が適宜装着され、それらから読み出されたコンピュータプログラムが、必要に応じて記憶部１２８にインストールされる。
【００４７】
なお、図示は省略するが、コントローラ１７も、図２に示したデータ処理装置１８と基本的に同様の構成とされている。
【００４８】
ところで、測定対象ディスプレイ１１に表示された画像を、高速カメラ１２で撮影した場合、測定対象ディスプレイ１１の表示画面の画素を基準とした軸の方向と、高速カメラ１２が撮影した画像の軸の方向とが一致するとは限らない。
【００４９】
図３Ａに示されるように、測定対象ディスプレイ１１の表示画面におけるｘ軸は、測定対象ディスプレイ１１の表示画面の横に１列に並ぶ画素の方向と一致する方向の軸であり、測定対象ディスプレイ１１の表示画面におけるｙ軸は、測定対象ディスプレイ１１の表示画面の縦に１列に並ぶ画素の方向と一致する方向の軸である。測定対象ディスプレイ１１の表示画面における点Ｏは、測定対象ディスプレイ１１の表示画面の中心である。
【００５０】
一方、図３Ｂに示されるように、データ処理装置１８は、撮影画像データにおける画素の並びを基準として、高速カメラ１２で撮影された画像を処理するので、データ処理装置１８におけるａ軸は、撮影画像データにおいて横に１列に並ぶ画素の方向と一致する方向の軸であり、データ処理装置１８におけるｂ軸は、撮影画像データにおいて縦に１列に並ぶ画素の方向と一致する方向の軸である。データ処理装置１８における点Ｏは、撮影画像の中心である。
【００５１】
高速カメラ１２は、撮影の視野（撮影する範囲）内の光学的な像を、カメラヘッド３１のイメージセンサで画像信号に変換し、画像信号から撮影画像データを生成するので、撮影画像データにおける画素の並びは、高速カメラ１２におけるイメージセンサの画素の並びによって定まる。データ処理装置１８は、カメラヘッド３１により撮影した画像をそのまま表示するのであるから、データ処理装置１８におけるａ軸およびｂ軸は、高速カメラ１２（カメラヘッド３１）の横方向と縦方向と一致する。
【００５２】
したがって、測定対象ディスプレイ１１の表示画面におけるｘ軸およびｙ軸の方向と、データ処理装置１８におけるａ軸およびｂ軸の方向との関係を考えると、カメラヘッド３１が測定対象ディスプレイ１１に対して時計回転方向に角度θだけ傾いている場合、図３Ａに示されるように、カメラヘッド３１の横方向のａ軸は、測定対象ディスプレイ１１の横方向のｘ軸に対して時計回転方向に角度θだけ傾くことになる。そして、カメラヘッド３１のａ軸がデータ処理装置１８のａ軸と一致するように撮影画像が表示されるので、図３Ｂに示されるように、ｘ軸はａ軸に対して反時計回転方向に角度θだけ傾くことになる。
【００５３】
言い換えれば、測定対象ディスプレイ１１を撮影する高速カメラ１２の撮影の視野（撮影する範囲）内の光学的な像であって、測定対象ディスプレイ１１の表示画面の光学的な像における、画素の縦横に並ぶ方向と、カメラヘッド３１のイメージセンサの画素の縦横に並ぶ方向とがなす角度θは、データ処理装置１８において、撮影画像データによる画像としての、測定対象ディスプレイ１１の表示画面の画素の配列によって定まるｘ軸およびｙ軸と、データ処理装置１８におけるａ軸およびｂ軸との傾き角として現れるといえる。
【００５４】
測定対象ディスプレイ１１の表示画面上の部分１５１を、測定対象ディスプレイ１１の表示画面の１つの画素とすれば、データ処理装置１８において、傾き角θを考慮して、撮影画像データを補正すると、撮影画像データから、測定対象ディスプレイ１１の表示画面の１つの画素の画像を示すデータを容易に抽出することができるようになることが分かる。
【００５５】
そこで、測定対象ディスプレイ１１に表示された画像を、高速カメラ１２で撮影して、測定対象ディスプレイ１１の特性を測定する場合に、高速カメラ１２で撮影された画像の軸（ａ軸およびｂ軸）と測定対象ディスプレイ１１の表示画面の画素を基準とした軸（ｘ軸およびｙ軸）との傾き角θを求めて、傾き角θに応じて高速カメラ１２で撮影された画像を補正することによって、より正確に測定対象ディスプレイ１１の特性を測定することができる。なお、以下、高速カメラ１２が撮影した画像の軸の、測定対象ディスプレイ１１の表示画面の画素を基準とした軸に対する傾き角θを補正する処理をキャリブレーション処理と称する。
【００５６】
データ処理装置１８は、測定対象ディスプレイ１１に所定の画像を表示させて、測定対象ディスプレイ１１の特性を測定する場合、まず、キャリブレーション処理を行ってから、測定対象ディスプレイ１１の特性の測定を開始する。
【００５７】
図４は、キャリブレーション処理を実行する、データ処理装置１８のキャリブレーション部のソフトウェアを中心とした機能的構成を示すブロック図である。
【００５８】
キャリブレーション部２０１は、表示部２１１、撮影部２１２、拡大部２１３、入力部２１４、演算部２１５、配置部２１６、および生成部２１７を含むように構成される。
【００５９】
表示部２１１は、例えば、LCDなどの出力部１２７としての観察ディスプレイ１８Ａに、拡大部２１３から供給された画像データを基に、画像を表示させる。また、表示部２１１は、映像信号発生器１５（図１）を制御し、測定対象ディスプレイ１１に画像を表示させる。すなわち、表示部２１１は、映像信号発生器１５を制御し、映像信号発生器１５に映像信号を発生させて、発生した映像信号を測定対象ディスプレイ１１に供給させることによって、測定対象ディスプレイ１１に画像を表示させる。
【００６０】
撮影部２１２は、コントローラ１７を介して接続されている高速カメラ１２に、測定対象ディスプレイ１１に表示された画像（表示画面）を撮影させる。すなわち、撮影部２１２は、コントローラ１７が高速カメラ１２に、測定対象ディスプレイ１１に表示された画像を撮影させるように、コントローラ１７を制御することによって、測定対象ディスプレイ１１に表示された画像を撮影する。
【００６１】
拡大部２１３は、コントローラ１７を介して、高速カメラ１２のズーム率を制御し、観察ディスプレイ１８Ａ上で測定対象ディスプレイ１１の画素を十分認識できる程度の画像が得られるように、画像を予め定められた所定の倍率（割合）で拡大させる。
【００６２】
入力部２１４は、キーボード、マウスなどからなる入力部１２６から、測定者（ユーザ）の操作に応じた入力信号を取得し、撮影部２１２、または演算部２１５に供給する。
【００６３】
演算部２１５は、高速カメラ１２が撮影した撮影画像の軸の、測定対象ディスプレイ１１の表示画面の画素を基準とした軸に対する傾き角θ（以下、単に、傾き角θと称する）、および撮影画像として、観察ディスプレイ１８Ａに表示されている測定対象ディスプレイ１１の画素（の画像）（以下、撮影画素と称する）の、観察ディスプレイ１８Ａの表示画面上における大きさ（ピッチ）を求めるための演算を行う。
【００６４】
配置部２１６は、傾き角θ、および観察ディスプレイ１８Ａの表示画面上（撮影画像上）における測定対象ディスプレイ１１の画素（撮影画素）の大きさを求めるために用いられる、撮影画像上における撮影画素とほぼ同一の大きさのブロック（以下、基準ブロックと称する）を、観察ディスプレイ１８Ａのほぼ画面中央に配置する。すなわち、配置部２１６は、観察ディスプレイ１８Ａのほぼ画面中央を、基準ブロックの表示位置として指定する信号を生成し、表示部２１１に供給する。そして、表示部２１１は、観察ディスプレイ１８Ａのほぼ画面中央を、基準ブロックの表示位置として指定する信号が配置部２１６から供給されると、基準ブロックを、観察ディスプレイ１８Ａの表示画面のほぼ中央に表示させる。
【００６５】
生成部２１７は、演算部２１５により演算された、傾き角θおよび撮影画素の大きさを基に、撮影画像データを、測定対象ディスプレイ１１の画素の輝度さまたは色を示す、測定対象ディスプレイ１１の画素データに変換する式を生成する。
【００６６】
図５は、キャリブレーション部２０１によるキャリブレーション処理が実行された後、測定対象ディスプレイ１１の特性を測定する処理を実行する、データ処理装置１８の測定部のソフトウェアを中心とした機能的構成を示すブロック図である。
【００６７】
測定部３０１は、表示部３１１、撮影部３１２、選択部３１３、拡大部３１４、入力部３１５、演算部３１６、変換部３１７、正規化部３１８、および判定部３１９を含むように構成される。
【００６８】
表示部３１１は、観察ディスプレイ１８Ａに、拡大部３１４から供給された画像データを基に、画像を表示させる。また、表示部３１１は、映像信号発生器１５（図１）を制御し、測定対象ディスプレイ１１に、測定の対象となる画像（以下、測定対象画像とも称する）を表示させる。すなわち、表示部３１１は、映像信号発生器１５を制御し、映像信号発生器１５に映像信号を発生させて、発生した映像信号を測定対象ディスプレイ１１に供給させることによって、測定対象ディスプレイ１１に測定対象画像を表示させる。
【００６９】
撮影部３１２は、コントローラ１７を介して接続されている高速カメラ１２に、測定対象ディスプレイ１１に表示された測定対象画像（表示画面）を撮影させる。すなわち、撮影部３１２は、コントローラ１７が高速カメラ１２に、測定対象ディスプレイ１１に表示された測定対象画像を撮影させるように、コントローラ１７を制御することによって、測定対象ディスプレイ１１に表示された測定対象画像を撮影する。
【００７０】
選択部３１３は、観察ディスプレイ１８Ａに表示されている、撮影画像としての測定対象ディスプレイ１１の画素（撮影画素）から、１つの撮影画素を選択する。
【００７１】
拡大部３１４は、コントローラ１７を介して、高速カメラ１２のズーム率を制御し、観察ディスプレイ１８Ａ上で測定対象ディスプレイ１１の画素を十分認識できる程度の画像が得られるように、画像を予め定められた所定の倍率（割合）で拡大させる。
【００７２】
入力部３１５は、入力部１２６（図２）から、測定者の操作に応じた入力信号を取得し、撮影部３１２または選択部３１３に供給する。
【００７３】
演算部３１６は、撮影画像データを測定対象ディスプレイ１１の画素データに変換する式を用いて、撮影画像データから、選択部３１３によって選択された測定対象ディスプレイ１１の画素の色単位のデータを演算する。ここで、選択された測定対象ディスプレイ１１の画素の色単位のデータとは、選択部３１３によって選択された、撮影画像上の測定対象ディスプレイ１１の１つの画素（撮影画素）のＲ（赤）、Ｇ（緑）、およびＢ（青）のそれぞれの値を示すデータをいう。また、演算部３１６は、変換部３１７が撮影画像データを変換して得られた、測定対象ディスプレイ１１の画素の色単位のデータ（測定対象ディスプレイ１１の画素の色を単位とするデータ）を基に、測定対象ディスプレイ１１の表示画面における各色の値の平均値を演算する。演算部３１６は、傾き角θ、および観察ディスプレイ１８Ａの表示画面上における、測定対象ディスプレイ１１の画素（撮影画素）の大きさを基に、測定対象ディスプレイ１１に表示されている移動物体の動き量を演算する。
【００７４】
変換部３１７は、撮影画像データを測定対象ディスプレイ１１の画素データに変換する式を用いて、撮影画像データを、測定対象ディスプレイ１１の画素の色単位のデータに変換する。また、変換部３１７は、撮影画像データを測定対象ディスプレイ１１の画素データに変換する式を用いて、撮影画像データを測定対象ディスプレイ１１の画素単位のデータに変換する。ここで、測定対象ディスプレイ１１の画素単位のデータとは、例えば、撮影画像上の測定対象ディスプレイ１１の各画素の輝度の値を示すデータなどの、測定対象ディスプレイ１１上の各画素を単位とするデータをいう。
【００７５】
正規化部３１８は、測定対象ディスプレイ１１に表示されて撮影された移動物体の、各撮影画像上の移動物体の画素の値を正規化する。判定部３１９は、測定対象ディスプレイ１１に表示させる全てのフィールドを測定したか否かを判定し、全てのフィールドを測定したと判定されるまで、測定部３０１の各部に測定の処理を実行させる。
【００７６】
次に、図６のフローチャートを参照して、データ処理装置１８によるキャリブレーション処理を説明する。
【００７７】
ステップＳ１において、表示部２１１は、測定対象ディスプレイ１１に、キャリブレーション処理を行うための画像（基準画像）を表示させる。例えば、表示部２１１は、映像信号発生器１５を制御し、映像信号発生器１５に、基準画像を表示させるための映像信号を発生させ、発生した映像信号を測定対象ディスプレイ１１に供給させる。そして、測定対象ディスプレイ１１は、映像信号発生器１５から供給された映像信号を基に、測定対象ディスプレイ１１の表示画面に基準画像を表示する。例えば、測定対象ディスプレイ１１は、基準画像が、０から２５５までの２５６階調で表示される画像である場合、基準画像として、全ての画素のレベルが、常に２４０以上の同じレベルである白画像を表示する。
【００７８】
測定対象ディスプレイ１１に基準画像を表示させてから、測定者がデータ処理装置１８を操作することによって、基準画像の撮影を指示すると、入力部２１４から撮影部２１２に、測定者の操作に応じて、基準画像の撮影を指示する入力信号が供給されるので、ステップＳ２において、撮影部２１２は、高速カメラ１２で、測定対象ディスプレイ１１に表示された基準画像（白画像）を撮影する。すなわち、ステップＳ２において、撮影部２１２は、入力部２１４からの入力信号に応じて、コントローラ１７が、高速カメラ１２に基準画像を撮影させるように、コントローラ１７を制御する。そして、高速カメラ１２は、コントローラ１７の制御のもと、同期信号発生器１６からの同期信号に同期して、例えば、測定対象ディスプレイ１１に表示された基準画像（白画像）を撮影する。
【００７９】
このとき、例えば、高速カメラ１２は、測定対象ディスプレイ１１に表示された画像を、２フィールドの期間より長い期間、例えば、２フィールドまたは４フィールドの期間の露光期間で撮影する。このように、２フィールドの期間より長い露光期間で撮影することで、測定対象ディスプレイ１１としてCRTやPDPを用いた場合に、撮影画像がサブフィールドの画像となってしまうことがなくなり、撮影画像として、測定対象ディスプレイ１１の全ての画素のレベルが同じレベルである白画像を得ることができる。
【００８０】
ステップＳ３において、拡大部２１３は、コントローラ１７を介して、高速カメラ１２のズーム率を制御し、観察ディスプレイ１８Ａ上で測定対象ディスプレイ１１の画素を十分認識できる程度の画像が得られるように、基準画像の撮影画像を拡大させる。高速カメラ１２が測定対象ディスプレイ１１の表示画像を撮影し、その画像を拡大することにより得られた撮影画像データは、高速カメラ１２から、コントローラ１７を介してデータ処理装置１８に供給される。表示部２１１は、拡大部２１３から供給された撮影画像データを観察ディスプレイ１８Ａに供給し、表示させるので、そこには拡大された基準画像（の撮影画像）が表示される。
【００８１】
観察ディスプレイ１８Ａに基準画像が表示されてから、測定者が、データ処理装置１８を操作し、観察ディスプレイ１８Ａの表示画面に表示させる基準ブロックの（辺の）大きさＸ１、Ｙ１を入力すると、入力部２１４から演算部２１５には、測定者が入力した基準ブロックの辺の大きさＸ１、Ｙ１を示す入力信号が供給されるので、ステップＳ４において、演算部２１５は、入力部２１４から供給された入力信号に基づいて、基準ブロックの大きさをＸ１、Ｙ１と設定する。
【００８２】
ここで、基準ブロックの大きさＸ１、Ｙ１とは、観察ディスプレイ１８Ａの表示画面上における、互いに直交する基準ブロックの辺を、第１の辺および第２の辺としたときの、第１の辺および第２の辺のそれぞれの大きさ（長さ）をいい、測定者は、予め定められた、観察ディスプレイ１８Ａの表示画面上における、測定対象ディスプレイ１１の画素（撮影画素）の大きさの概略値を、基準ブロックの大きさＸ１、Ｙ１として入力する。したがって、例えば、図７に示すように、表示部２１１が、撮影画像を観察ディスプレイ１８Ａに表示させ、さらに、図中、中央の四角形を基準ブロック４０１として、観察ディスプレイ１８Ａに表示させる場合、演算部２１５は、入力部２１４から供給された入力信号に基づいて、基準ブロック４０１の図中、横方向の辺の大きさ（Ｘ方向の大きさ）をＸ１と設定し、縦方向の辺の大きさ（Ｙ方向の大きさ）をＹ１と設定する。
【００８３】
なお、図７では、基準ブロック４０１は、図中、中央の四角形で表されており、また、図中、基準ブロック４０１の中に示される、右上がりのハッチングが施されている長方形、ハッチングが施されていない長方形、および右下がりのハッチングが施されている長方形からなる四角形は、高速カメラ１２によって撮影された、測定対象ディスプレイ１１の表示画面の１つの画素（Ｒ、Ｇ、Ｂの各色を表示する領域）の画像（撮影画素）を表している。具体的には、図中、撮影画素の左側の、右上がりのハッチングが施されている長方形は、その撮影画素に対応する測定対象ディスプレイ１１の画素が、測定対象ディスプレイ１１の表示画面上において、赤く（Ｒ）発光した領域を示しており、中央のハッチングが施されていない長方形は、撮影画素に対応する測定対象ディスプレイ１１の画素が、測定対象ディスプレイ１１の表示画面上において、緑に（Ｇ）発光した領域を示しており、右側の、右下がりのハッチングが施されている長方形は、撮影画素に対応する測定対象ディスプレイ１１の画素が、測定対象ディスプレイ１１の表示画面上において、青く（Ｂ）発光した領域を示している。
【００８４】
図７では、撮影画像として、測定対象ディスプレイ１１の表示画面の画素（撮影画素）が、図中、縦方向および横方向に並んだ画像が表示されている。
【００８５】
図６のフローチャートの説明に戻り、ステップＳ４の基準ブロック４０１の大きさの設定処理の後、ステップＳ５において、演算部２１５は、撮影画像の大きさ、および設定した基準ブロック４０１の大きさを基に、基準ブロック４０１の繰り返し回数を演算する。
【００８６】
例えば、図７において、図中、撮影画像の下側の辺の左端から右端へ向かう方向をＸ方向、撮影画面の左側の辺の下端から上端へ向かう方向をＹ方向とし、撮影画像のＸ方向の大きさ（長さ）の半部の大きさを（Ｌｘ／２）（したがって、Ｘ方向の大きさはＬｘ）とし、撮影画像のＹ方向の大きさの半部の大きさを（Ｌｙ／２）（したがって、Ｙ方向の大きさはＬｙ）とすると、演算部２１５は、撮影画像のＸ方向の大きさをＬｘ、撮影画像のＹ方向の大きさをＬｙ、基準ブロック４０１のＸ方向の大きさをＸ１、および基準ブロック４０１のＹ方向の大きさをＹ１として、式（１）および式（２）に基づいて、Ｘ方向の基準ブロック４０１の繰り返し回数ｎ、およびＹ方向の基準ブロック４０１の繰り返し回数ｍをそれぞれ演算する。
【００８７】
ｎ＝Ｌｘ／Ｘ１                                                    ・・・（１）
【００８８】
ｍ＝Ｌｙ／Ｙ１                                                    ・・・（２）
【００８９】
ここで、Ｘ方向の基準ブロック４０１の繰り返し回数ｎは、基準ブロック４０１を、Ｘ方向に、撮影画像の左端から右端まで並べていったときに、Ｘ方向に基準ブロック４０１を並べることができる個数を示しており、Ｙ方向の基準ブロック４０１の繰り返し回数ｍは、基準ブロック４０１を、Ｙ方向に、撮影画像の下端から上端まで並べていったときに、Ｙ方向に基準ブロック４０１を並べることができる個数を示している。したがって、図７に示すように、撮影画像のＸ方向の大きさＬｘは、ｎＸ１とも表すことができ、同様に、撮影画像のＹ方向の大きさＬｙは、ｍＹ１とも表すことができる。
【００９０】
図６のフローチャートの説明に戻り、ステップＳ５において、演算部２１５が、基準ブロック４０１の繰り返し回数を演算すると、ステップＳ６において、配置部２１６は、基準ブロック４０１を、観察ディスプレイ１８Ａのほぼ画面中央に配置する。
【００９１】
すなわち、ステップＳ６において、配置部２１６は、演算部２１５が設定した基準ブロック４０１の大きさＸ１、Ｙ１の値を参照して、観察ディスプレイ１８Ａのほぼ画面中央を、大きさがＸ１、Ｙ１である基準ブロック４０１の表示位置として指定する信号を生成し、表示部２１１に供給する。そして、表示部２１１は、観察ディスプレイ１８Ａのほぼ画面中央を、基準ブロック４０１の表示位置として指定する信号が配置部２１６から供給されると、図７に示したように、表示させている撮影画像に重畳させて、基準ブロック４０１を、観察ディスプレイ１８Ａの表示画面のほぼ中央に表示させる。
【００９２】
撮影画像（観察ディスプレイ１８Ａ）に基準ブロック４０１が表示されると、演算部２１５は、撮影画像上の所定の位置にある、基準ブロック４０１と同じ大きさのブロック（以下、マッチング候補ブロックと称する）の位置を、高速カメラ１２が撮影した撮影画像の軸の、測定対象ディスプレイ１１の表示画面の画素を基準とした軸に対する傾き角をθ（変数）として、傾き角θの値を基に補正し、位置が補正されたマッチング候補ブロック内の画素の輝度と、基準ブロック４０１内の画素の輝度との差分絶対値和が最小となる傾き角θ、撮影画面上の撮影画素（測定対象ディスプレイ１１の画素）の大きさ（ピッチ）Ｘ２、Ｙ２を求める。
【００９３】
すなわち、ステップＳ７において、演算部２１５は、差分絶対値和を表す式SADにおけるＸ２、Ｙ２、傾き角θを変化させ、SADが最小となる値を求める。
【００９４】
例えば、図７において、撮影画像の中心を基準として、Ｘ方向およびＹ方向を軸とする座標系における所定の点の座標を（ＸＢ，ＹＢ）とし、ＸＢ、ＹＢをそれぞれ式（３）および式（４）で表す。
【００９５】
ＸＢ＝ｋ×Ｘ２                                                    ・・・（３）
【００９６】
ＹＢ＝ｌ×Ｙ２                                                    ・・・（４）
【００９７】
ここで、Ｘ２は、撮影画素（撮影画像上の測定対象ディスプレイ１１の画素）のＸ方向のピッチを表し、Ｙ２は、撮影画素のＹ方向のピッチを表す。また、ｋおよびｌは、それぞれ、所定の整数（但し、Ｘ方向の基準ブロック４０１の繰り返し回数をｎ、Ｙ方向の基準ブロック４０１の繰り返し回数をｍとして、（−ｎ／２）≦ｋ≦（ｎ／２）、（−ｍ／２）≦ｌ≦（ｍ／２））を表す。
【００９８】
次に、点（ＸＢ，ＹＢ）を中心とし、Ｘ方向に平行な直線上に配置されるマッチング候補ブロック４０２の位置を、傾き角θを基に補正する。図７において、マッチング候補ブロック４０３は、傾き角θを基に補正されたマッチング候補ブロック４０２を表している。マッチング候補ブロック４０２の中心の点（ＸＢ，ＹＢ）に対応するマッチング候補ブロック４０３の中心の点（ＸＢ’，ＹＢ’）の座標ＸＢ’、ＹＢ’は、それぞれ式（５）および式（６）で表される。
【００９９】
ＸＢ’＝ＸＢ＋ＹＢ×θ／（Ｌｙ／２）                              ・・・（５）
【０１００】
ＹＢ’＝ＹＢ＋ＸＢ×θ／（Ｌｘ／２）                              ・・・（６）
【０１０１】
ここで、例えば、図７に示すように、長さがＬｘ／２であり、点（ＸＢ，ＹＢ）を通るＸ方向に平行な直線Ｄ１が、撮影画像の右側の辺（端部）と交わる点を点Ａ１とし、直線Ｄ１の点Ａ１とは反対側の端点、および点（ＸＢ’，ＹＢ’）を通る直線Ｄ２が、撮影画像の右側の辺（端部）と交わる点を点Ａ２とした場合に、点Ａ１から点Ａ２までの距離を傾き角θと近似する。
【０１０２】
なお、この場合、点（ＸＢ’，ＹＢ’）の位置は、点（ＸＢ，ＹＢ）を、傾き角θに基づく、所定の方向に、所定の距離だけ平行移動させた位置となる。ここで、式（６）におけるθの値は、点（ＸＢ，ＹＢ）のＸ座標の値ＸＢがＬｘ／２である場合における、傾き角θに対するＹ座標の値ＹＢの変動量（撮影画素の数）を表しており、Ｘ座標の値ＸＢによって、Ｙ座標の値ＹＢに対する補正量の最大値がθとなるようにＹ座標の値ＹＢを補正する。したがって、Ｙ座標の値ＹＢに対する補正量は、Ｘ座標の値ＸＢの値に比例して大きくなる。同様に、点（ＸＢ，ＹＢ）のＹ座標の値ＹＢがＬｙ／２である場合における、傾き角θに対するＸ座標の値ＸＢの変動量をθとして、式（５）において、Ｙ座標の値ＹＢによって、Ｘ座標の値ＸＢに対する補正量の最大値がθとなるようにＸ座標の値ＸＢを補正する。
【０１０３】
演算部２１５は、点（ＸＢ，ＹＢ）を、傾き角θを基に補正した点を、点（ＸＢ’，ＹＢ’）として、式（７）で表される、差分絶対値和を表す式におけるＸ２、Ｙ２、θを変化させて、値SADが最小となる値を求める。
【０１０４】
【数１】
2006243518.tif 000003
【０１０５】
なお、式（７）において、１番左側のΣは、｜Ｙｓ（ｉ，ｊ）−Ｙｒ（ＸＢ’＋ｉ，ＹＢ’＋ｊ）｜のｉを（−１／２）Ｘ１から（１／２）Ｘ１まで変えて総和をとることを表し、左から２番目乃至４番目のΣは、それぞれ、｜Ｙｓ（ｉ，ｊ）−Ｙｒ（ＸＢ’＋ｉ，ＹＢ’＋ｊ）｜のｊを（−１／２）Ｙ１から（１／２）Ｙ１まで変えて、ｋを（−ｎ／２）から（ｎ／２）まで変えて、ｌを（−ｍ／２）から（ｍ／２）まで変えて、それぞれ総和をとることを表す。
【０１０６】
また、Ｙｓ（ｉ，ｊ）は、基準ブロック４０１内の所定の点（ｉ，ｊ）における輝度の値（但し、（−１／２）Ｘ１≦ｉ≦（１／２）Ｘ１，（−１／２）Ｙ１≦ｊ≦（１／２）Ｙ１）を表しており、Ｙｒ（ＸＢ’＋ｉ，ＹＢ’＋ｊ）は、マッチング候補ブロック４０３内の所定の点（ＸＢ’＋ｉ，ＹＢ’＋ｊ）における輝度の値（但し、（−１／２）Ｘ１≦ｉ≦（１／２）Ｘ１，（−１／２）Ｙ１≦ｊ≦（１／２）Ｙ１）を表している。
【０１０７】
さらに、差分絶対値和を表す式（７）におけるＸ２、Ｙ２、θを変化させる場合、例えば、Ｘ２の大きさは、Ｘ１±１０％（すなわち、Ｘ１±（Ｘ１／１０））程度の範囲、Ｙ２の大きさは、Ｙ１±１０％（すなわち、Ｙ１±（Ｙ１／１０））程度の範囲で変化させる。また、傾き角θの大きさは、例えば、±１０画素（撮影画素）程度の範囲で変化させる。したがって、例えば、図７の例においては、マッチング候補ブロック４０２に対応する、マッチング候補ブロック４０３は、θの大きさを、点Ａ１から、図中、上方向（Ｙ方向）に１０画素（撮影画素）の範囲、および点Ａ１から、図中、下方向（Ｙ方向と逆方向）に１０画素（撮影画素）の範囲で変化させて値SADが最小となるθの値を求める。
【０１０８】
図６のフローチャートの説明に戻り、差分絶対値和を表す式（７）の値SADが最小となるＸ２、Ｙ２、θを求めると、ステップＳ８において、生成部２１７は、撮影画像データを、測定対象ディスプレイ１１の画素データに変換する式を生成し、処理を終了する。
【０１０９】
例えば、ステップＳ８において、生成部２１７は、差分絶対値和を表す式（７）の値SADが最小となるＸ２、Ｙ２、θを、上述した式（５）および式（６）（式（３）および式（４））に代入することによって、撮影画像データを、測定対象ディスプレイ１１の画素データに変換する式を生成する。
【０１１０】
また、表示部２１１は、キャリブレーション処理が終了すると、図８に示すように、値SADが最小となるＸ２、Ｙ２、θを求めた結果を、観察ディスプレイ１８Ａに表示させる。図８では、図７における場合と同様に、右上がりのハッチングが施されている長方形、ハッチングが施されていない長方形、および右下がりのハッチングが施されている長方形からなる四角形が、１つの撮影画素を表している。また、それぞれの撮影画素（撮影画像上の測定対象ディスプレイ１１の画素）が、縦と横の点線で区切られる四角形（ブロック）で囲まれている。値SADを最小とする結果がこの点線で表されており、この点線で表される１つの四角形（縦と横の点線で区切られる四角形）の中心の点が、点（ＸＢ’，ＹＢ’）となっている。なお、図８では、説明のため、撮影画素を囲む点線で表される四角形は、撮影画素に対して少しずらされて表示されている。さらに、点線で表される１つの四角形のＸ方向の大きさがＸ２、Ｙ方向の大きさがＹ２となっており、各撮影画素の頂点の位置、傾き角θ、各撮影画素のＸ方向の大きさ、および各撮影画素のＹ方向の大きさが正確に求められたことが分かる。
【０１１１】
これは、測定対象ディスプレイ１１に、全ての画素が同じ明るさの基準画像（白画像）を表示させることで、基準画像を撮影した撮影画像を用いて、基準ブロック４０１内の所定の点における輝度の値と、マッチング候補ブロック４０３内の所定の点における輝度の値とを比較し、撮影画像上の測定対象ディスプレイ１１の１つの画素（撮影画素）を容易に検出することができるので、各撮影画素の頂点の位置、傾き角θ、各撮影画素のＸ方向の大きさ、および各撮影画素のＹ方向の大きさを正確に求めることができるからである。
【０１１２】
以上のようにして、データ処理装置１８は、撮影された基準画像を用いて、傾き角θ、撮影画像上の撮影画素（測定対象ディスプレイ１１の画素）の大きさ（ピッチ）Ｘ２、Ｙ２を求める。
【０１１３】
このように、撮影された基準画像（の撮影画像）を用いて、傾き角θ、撮影画像上の撮影画素の大きさＸ２、Ｙ２を求めることで、データ処理装置１８は、撮影画像上の各撮影画素の位置および大きさを特定することができるので、測定対象ディスプレイ１１の画素ごとの特性を測定することができる。これにより、測定対象ディスプレイ１１の特性を迅速かつより正確に測定し、評価することができる。
【０１１４】
以上、キャリブレーション処理において、撮影画素とほぼ同じ大きさのブロックを基準ブロックとして、撮影画像上の撮影画素の大きさＸ２、Ｙ２を求めると説明したが、１つのブロックの大きさが、測定対象ディスプレイ１１の画素の整数倍（例えば、１０倍）の大きさであるクロスハッチの画像（クロスハッチ画像）を、基準画像として測定対象ディスプレイ１１に表示させ、観察ディスプレイ１８Ａの表示画面上における、クロスハッチ画像の１つのブロックとほぼ同じ大きさのブロックを基準ブロックとして、クロスハッチ画像の１つのブロックの大きさを求めることによっても、傾き角θ、および撮影画像上の測定対象ディスプレイ１１の画素（撮影画素）の大きさを求めることができる。
【０１１５】
以下、図９のフローチャートを参照して、データ処理装置１８が、撮影画像として、測定対象ディスプレイ１１に表示されたクロスハッチ画像を用いて、キャリブレーション処理を実行する、クロスハッチによるキャリブレーション処理を説明する。
【０１１６】
ステップＳ２１において、表示部２１１は、測定対象ディスプレイ１１の表示画面の中央に、基準画像としてのクロスハッチ画像を表示させる。例えば、表示部２１１は、映像信号発生器１５を制御し、映像信号発生器１５に、クロスハッチ画像を表示させるための映像信号を発生させ、発生した映像信号を測定対象ディスプレイ１１に供給させる。そして、測定対象ディスプレイ１１は、映像信号発生器１５から供給された映像信号を基に、測定対象ディスプレイ１１の表示画面に基準画像としてのクロスハッチ画像を表示する。
【０１１７】
例えば、測定対象ディスプレイ１１は、表示画面の中央に、図１０に示すクロスハッチ画像を表示する。図１０では、黒い線に囲まれた四角形が、クロスハッチの１つのブロックを示しており、クロスハッチのブロックが、図中、縦方向および横方向に並んでいる。このクロスハッチの１つのブロックは、例えば、縦方向の大きさ（長さ）が、測定対象ディスプレイ１１の１０個分の画素の大きさとなっており、また、横方向の大きさ（長さ）も、測定対象ディスプレイ１１の１０個分の画素の大きさとなっている。したがって、この場合、クロスハッチの１つのブロックには、測定対象ディスプレイ１１の１００個（縦１０個×横１０個）の画素が含まれる大きさとなり、クロスハッチの１つのブロックは、これらの１００個の画素によって表示される。
【０１１８】
さらに、図中、横方向のクロスハッチの線（黒い線）は、例えば、その縦方向の太さが、測定対象ディスプレイ１１の画素の１個分の太さとなっており、図中、縦方向のクロスハッチの線（黒い線）は、例えば、その横方向の太さが、測定対象ディスプレイ１１の画素の３個分の太さとなっている。
【０１１９】
図９のフローチャートの説明に戻り、測定対象ディスプレイ１１に基準画像としてクロスハッチ画像を表示させてから、測定者がデータ処理装置１８を操作することによって、基準画像の撮影を指示すると、入力部２１４から撮影部２１２に、測定者の操作に応じて、基準画像の撮影を指示する入力信号が供給されるので、ステップＳ２２において、撮影部２１２は、高速カメラ１２で、測定対象ディスプレイ１１に表示されたクロスハッチ画像を撮影する。すなわち、ステップＳ２２において、撮影部２１２は、入力部２１４からの入力信号に応じて、コントローラ１７が、高速カメラ１２に基準画像を撮影させるように、コントローラ１７を制御する。そして、高速カメラ１２は、コントローラ１７の制御のもと、同期信号発生器１６からの同期信号に同期して、測定対象ディスプレイ１１に表示された基準画像としてのクロスハッチ画像を撮影する。
【０１２０】
ステップＳ２３において、拡大部２１３は、コントローラ１７を介して、高速カメラ１２のズーム率を制御し、観察ディスプレイ１８Ａ上で測定対象ディスプレイ１１に表示されているクロスハッチ画像の１つのブロックを十分認識できる程度の画像が得られるように、画像を拡大させる。高速カメラ１２が測定対象ディスプレイ１１の表示画像を撮影し、その画像を拡大することにより得られた撮影画像データは、高速カメラ１２から、コントローラ１７を介してデータ処理装置１８に供給される。表示部２１１は、拡大部２１３から供給された撮影画像データを観察ディスプレイ１８Ａに供給し、表示させるので、そこには拡大された基準画像（の撮影画像）としてのクロスハッチ画像が表示される。このとき、観察ディスプレイ１８Ａには、例えば、図１１に示すクロスハッチ画像が表示される。
【０１２１】
図１１では、撮影されたクロスハッチのブロックが、Ｘ方向およびＹ方向に並んでいる。黒い線に囲まれているブロック４３１は、撮影された１つのクロスハッチのブロックの画像を表している。データ処理装置１８は、１つのブロック４３１を、図６のフローチャートを参照して説明した、１つの撮影画素（観察ディスプレイ１８Ａに表示されている、撮影画像としての測定対象ディスプレイ１１の１つの画素）とみなして、図６のステップＳ４の処理乃至ステップＳ７の処理のそれぞれに対応する処理を行う。
【０１２２】
すなわち、観察ディスプレイ１８Ａに撮影画像としてのクロスハッチ画像（基準画像）が表示されてから、測定者が、データ処理装置１８を操作し、観察ディスプレイ１８Ａの表示画面に表示されている、クロスハッチの１つのブロック４３１のＸ方向の大きさの概略値ＸＣ、およびＹ方向の大きさの概略値ＹＣを、観察ディスプレイ１８Ａの表示画面に表示させる基準ブロックの大きさとして入力すると、入力部２１４から演算部２１５には、測定者が入力した基準ブロックの辺の大きさＸＣ、ＹＣを示す入力信号が供給されるので、ステップＳ２４において、演算部２１５は、入力部２１４から供給された入力信号に基づいて、撮影画像としてのクロスハッチの１つのブロック４３１のＸ方向の大きさの概略値ＸＣ、およびＹ方向の大きさの概略値ＹＣを、基準ブロックの大きさとして設定する。
【０１２３】
その後さらにステップＳ２５の処理乃至ステップＳ２７の処理が行われるが、これらの処理は、図６におけるステップＳ５の処理乃至ステップＳ７の処理のそれぞれと同様なので、その説明は省略する。なお、ステップＳ２５の処理乃至ステップＳ２７の処理において、図６のフローチャートの説明での基準ブロック４０１の大きさＸ１、Ｙ１とした部分が、それぞれＸＣ、ＹＣとなり、ステップＳ２７の処理において求められるＸ２およびＹ２は、それぞれ図１１のクロスハッチの１つのブロック４３１のＸ方向大きさ、およびＹ方向の大きさとなる。
【０１２４】
ステップＳ２８において、演算部２１５は、求められたＸ２およびＹ２の値を、それぞれ、予め定められた、測定対象ディスプレイ１１の表示画面におけるクロスハッチの１つのブロックの画素数（測定対象ディスプレイ１１の画素数）Ｘｐ、Ｙｐで割って、観察ディスプレイ１８Ａに表示されている、撮影画像としての、測定対象ディスプレイ１１の１つの画素（撮影画素）の大きさ（ピッチ）を求める。
【０１２５】
例えば、図１１に示すクロスハッチの１つのブロック４３１に対応する、測定対象ディスプレイ１１の表示画面上のクロスハッチの１つのブロックのＸ方向の画素数（測定対象ディスプレイ１１の画素数）がＸｐ、Ｙ方向の画素数（測定対象ディスプレイ１１の画素数）がＹｐであり、差分絶対値和を表す値SADが最小となるＸ方向のブロック４３１の大きさがＸ２、Ｙ方向の大きさがＹ２である場合、演算部２１５は、式（８）および式（９）を演算することによって、観察ディスプレイ１８Ａの表示画面上における、撮影画像としての測定対象ディスプレイ１１の１つの画素（撮影画素）のＸ方向の大きさＸｄ、Ｙ方向の大きさＹｄの大きさを求める。
【０１２６】
Ｘｄ＝Ｘ２／Ｘｐ                                                  ・・・（８）
【０１２７】
Ｙｄ＝Ｙ２／Ｙｐ                                                  ・・・（９）
【０１２８】
なお、クロスハッチの１つのブロックのＸ方向の画素数Ｘｐ、およびＹ方向の画素数Ｙｐは、予め定められた値であり、それぞれ、測定対象ディスプレイ１１に表示されるクロスハッチ画像の１つのブロックを表示する、Ｘ方向の測定対象ディスプレイ１１の画素数、およびＹ方向の測定対象ディスプレイ１１の画素数である。
【０１２９】
撮影画像としての測定対象ディスプレイ１１の１つの画素（撮影画素）のＸ方向の大きさＸｄ、Ｙ方向の大きさＹｄの大きさを求めると、ステップＳ２９において、生成部２１７は、撮影画像データを、測定対象ディスプレイ１１の画素データに変換する式を生成し、処理を終了する。
【０１３０】
なお、撮影画像データを、測定対象ディスプレイ１１の画素データに変換する式は、例えば、図６のステップＳ８の処理で説明したＸ２をＸｄとし、Ｙ２をＹｄとして、式（５）および式（６）に代入することによって、生成することができる。
【０１３１】
また、表示部２１１は、クロスハッチによるキャリブレーション処理が終了すると、図１２に示すように、観察ディスプレイ１８Ａに、値SADが最小となるＸ２、Ｙ２、θを求めた結果を表示する。なお、図中、図１１における場合と対応する部分には、同一の符号を付してあり、繰り返しになるので、その説明は省略する。
【０１３２】
図１２では、図１１に示した撮影画像としてのクロスハッチ画像とともに、値SADを最小とする結果が点線で表されている。縦と横の点線で区切られる１つのブロック４５１のＸ方向の大きさがＸ２、Ｙ方向の大きさがＹ２となっている。ブロック４５１のＸ２の大きさは、クロスハッチの１つのブロック４３１のＸ方向の大きさと同じ大きさとなっており、ブロック４５１のＹ２の大きさは、クロスハッチの１つのブロック４３１のＹ方向の大きさと同じ大きさとなっているので、クロスハッチのブロック４３１のＸ方向の大きさ、およびＹ方向の大きさが正確に求められたことが分かる。また、クロスハッチの１つのブロック４３１のＸ方向に平行な辺と、点線で表される１つのブロック４５１のＸ方向に平行な辺とが、平行となっており、傾き角θも正確に求められたことが分かる。
【０１３３】
これは、クロスハッチ画像において、ブロック４３１の明るさと、クロスハッチの線の明るさとを大きく変えてあるので、クロスハッチのブロック４３１の頂点を容易に検出することができ、その結果、クロスハッチのブロック４３１のＸ方向の大きさ、Ｙ方向の大きさ、および傾き角θを正確に求めることができるからである。
【０１３４】
以上のようにして、データ処理装置１８は、撮影されたクロスハッチ画像を用いて、傾き角θ、撮影画像上のクロスハッチの１つのブロック４３１の大きさ（ピッチ）Ｘ２、Ｙ２を求める。そして、さらに、ブロック４３１の大きさＸ２、Ｙ２を基に、撮影画像上の撮影画素（測定対象ディスプレイ１１の画素）の大きさＸｄ、Ｙｄを求める。
【０１３５】
このように、撮影されたクロスハッチ画像を用いて、傾き角θ、撮影画像上のクロスハッチの１つのブロック４３１の大きさＸ２、Ｙ２を求め、さらに、ブロック４３１の大きさＸ２、Ｙ２を基に、撮影画像上の撮影画素の大きさＸｄ、Ｙｄを求めることで、データ処理装置１８は、撮影画像上の各撮影画素の位置および大きさを特定することができ、測定対象ディスプレイ１１の画素ごとの特性を測定することができる。これにより、測定対象ディスプレイ１１の特性を迅速かつより正確に測定し、評価することができる。
【０１３６】
また、クロスハッチの１つのブロック４３１の大きさＸ２、Ｙ２を求め、その大きさＸ２、Ｙ２を基に、撮影画像上の各撮影画素の大きさを求めるようにしたので、１つの撮影画素の大きさを直接求める場合よりも、より低い倍率で撮影された撮影画像を用いて、高速カメラ１２が撮影した撮影画像の軸の、測定対象ディスプレイ１１の表示画面の画素を基準とした軸に対する傾き角θを補正することができる。
【０１３７】
すなわち、１つの撮影画素の大きさを直接求める場合、高速カメラ１２は、測定対象ディスプレイ１１の１つの画素（の撮影画像）が、観察ディスプレイ１８Ａの表示画面上において、十分確認できる程度の大きさで表示されるように、測定対象ディスプレイ１１の表示画面（に表示された画像）をズームして撮影する必要があるが、クロスハッチ画像を用いて、撮影画素の大きさを求める場合、高速カメラ１２は、測定対象ディスプレイ１１に表示された、クロスハッチの１つのブロック（の撮影画像）が、観察ディスプレイ１８Ａの表示画面上において、十分確認できる程度の大きさで表示されるように、測定対象ディスプレイ１１の表示画面（に表示されたクロスハッチ画像）をズームして撮影すればよいので、１つの撮影画素の大きさを直接求める場合と比べて、より低い倍率（ズーム）で撮影された撮影画像を用いて、高速カメラ１２が撮影した撮影画像の軸の、測定対象ディスプレイ１１の表示画面の画素を基準とした軸に対する傾き角θを補正することができる。
【０１３８】
次に、図１３のフローチャートを参照して、データ処理装置１８が、測定対象ディスプレイ１１としてのLCDの表示画面上の１つの画素の応答特性を測定する処理である、LCDの応答特性の測定処理を説明する。この処理は、図６または図９のキャリブレーション処理が完了した後行われる。
【０１３９】
ステップＳ５１において、表示部３１１は、測定対象ディスプレイ１１（LCD）に、測定の対象となる画像（測定対象画像）を表示させる。例えば、表示部３１１は、映像信号発生器１５を制御し、映像信号発生器１５に、測定対象画像を表示させるための映像信号を発生させ、発生した映像信号を測定対象ディスプレイ１１に供給させる。そして、測定対象ディスプレイ１１（LCD）は、映像信号発生器１５から供給された映像信号を基に、測定対象ディスプレイ１１の表示画面に測定対象画像を表示する。
【０１４０】
例えば、測定対象ディスプレイ１１は、測定対象画像として、１つのフィールド（１コマ）において、測定対象ディスプレイ１１の表示画面上の全ての画素の値（例えば、輝度の値）が等しく、フィールドごとに測定対象ディスプレイ１１の各画素の値が、変化するような測定対象画像を表示する。
【０１４１】
測定者がデータ処理装置１８を操作することによって、測定対象画像の撮影を指示すると、入力部３１５から撮影部３１２に、測定者の操作に応じて、測定対象画像の撮影を指示する入力信号が供給されるので、ステップＳ５２において、撮影部３１２は、測定対象ディスプレイ１１（LCD）の表示画像を高速カメラ１２で撮影する。すなわち、ステップＳ５２において、撮影部３１２は、入力部３１５からの入力信号に応じて、コントローラ１７が、高速カメラ１２に測定対象画像を撮影させるように、コントローラ１７を制御する。そして、高速カメラ１２は、コントローラ１７の制御のもと、同期信号発生器１６からの同期信号に同期して、測定対象ディスプレイ１１の表示画像（測定対象ディスプレイ１１に表示された測定対象画像）を撮影する。
【０１４２】
例えば、高速カメラ１２は、測定対象ディスプレイ１１の１つの画素が、観察ディスプレイ１８Ａの表示画面上において、十分に認識することができる程度の倍率で、測定対象ディスプレイ１１の表示画像（測定対象ディスプレイ１１に表示された測定対象画像）を６０００コマ／秒で撮影する。なお、高速カメラ１２の位置は、キャリブレーション処理を行ったときの高速カメラ１２の位置のままとされる。
【０１４３】
このとき、拡大部３１４は、コントローラ１７を介して、高速カメラ１２のズーム率を制御し、観察ディスプレイ１８Ａ上で、測定対象ディスプレイ１１に表示された画素を十分に認識できる程度の画像が得られるように、画像を拡大させる。高速カメラ１２が測定対象ディスプレイ１１の表示画像を撮影し、その画像を拡大することにより得られた撮影画像データは、高速カメラ１２から、コントローラ１７を介してデータ処理装置１８に供給される。表示部３１１は、拡大部３１４から供給された撮影画像データを観察ディスプレイ１８Ａに供給し、表示させるので、そこには拡大された撮影画像が表示される。
【０１４４】
測定者がデータ処理装置１８を操作することによって、観察ディスプレイ１８Ａに表示されている撮影画像上の測定対象ディスプレイ１１の画素（撮影画素）のうち、１つの撮影画素を選択するように指示すると、入力部３１５から選択部３１３には、測定者の指示に応じた入力信号が供給されるので、ステップＳ５３において、選択部３１３は、入力部３１５から供給された入力信号に応じて、観察ディスプレイ１８Ａに表示されている、撮影画像としての測定対象ディスプレイ１１（LCD）の画素（撮影画素）のうち、測定者によって指示された１つの画素（撮影画素）を選択する。
【０１４５】
例えば、観察ディスプレイ１８Ａには、図１４に示すような撮影画像が表示される。図１４では、右上がりのハッチングが施されている長方形は、測定対象ディスプレイ１１の表示画面上において赤く発光した領域を表しており、ハッチングが施されていない長方形は緑に発光した領域を表しており、右下がりのハッチングが施されている長方形は、青く発光した領域を表している。また、右上がりのハッチングが施されている長方形、ハッチングが施されていない長方形、および右下がりのハッチングが施されている長方形が、図中、横方向に順番に並んでおり、右上がりのハッチングが施されている長方形、ハッチングが施されていない長方形、および右上がりのハッチングが施されている長方形からなる１つの四角形が、１つの撮影画素（測定対象ディスプレイ１１の画素）を表している。
【０１４６】
また、観察ディスプレイ１８Ａの表示画面には、撮影された測定対象ディスプレイ１１の画素の画像（撮影画素）とともに、１つの撮影画素を選択するためのカーソル５０１が表示されている。カーソル５０１は、１つの撮影画素を囲むようにして表示されるようになされており、測定者は、データ処理装置１８を操作することによって、観察ディスプレイ１８Ａの表示画面上において、カーソル５０１を移動させて、観察ディスプレイ１８Ａに表示されている、撮影された測定対象ディスプレイ１１の画素（撮影画素）から、所望の１つの画素（撮影画素）を選択する。この場合、カーソル５０１に囲まれている撮影画素が選択される。
【０１４７】
図１３の説明に戻り、ステップＳ５４において、演算部３１６は、選択部３１３が選択した測定対象ディスプレイ１１（LCD）の画素の色単位のデータを、撮影画像データから演算する。
【０１４８】
例えば、撮影画像上において、図７を参照して説明した、撮影画像の中心を基準とし、Ｘ方向に平行な直線、およびＹ方向に平行な直線を軸とする座標系における、選択部３１３によって選択された撮影画素の中心の点の座標が、（ＸＢ’，ＹＢ’）で表されるとき、演算部３１６は、撮影画像データを、測定対象ディスプレイ１１の画素データに変換する式（値SADが最小となるＸ２、Ｙ２、θを、上述した式（５）および式（６）に代入した式）を用いて、式（１０）、式（１１）、および式（１２）をそれぞれ演算して、選択された測定対象ディスプレイ１１の画素の赤（Ｒ）成分の値Ｐｒ、測定対象ディスプレイ１１の画素の緑（Ｇ）成分の値Ｐｇ、および測定対象ディスプレイ１１の画素の青（Ｂ）成分の値Ｐｂをそれぞれ求めることにより、測定対象ディスプレイ１１（LCD）の画素の色単位のデータを演算する。
【０１４９】
【数２】
2006243518.tif 000004
【０１５０】
【数３】
2006243518.tif 000005
【０１５１】
【数４】
2006243518.tif 000006
【０１５２】
ここで、式（１０）において、ｌｒ（ＸＢ’＋ｉ，ＹＢ’＋ｊ）は、撮影画像上の点（ＸＢ’＋ｉ，ＹＢ’＋ｊ）における、観察ディスプレイ１８Ａの画素の赤（Ｒ）成分の値を表している。また、式（１０）の左側のΣは、ｌｒ（ＸＢ’＋ｉ，ＹＢ’＋ｊ）／（Ｘ２×Ｙ２）のｉを（−１／２）Ｘ２から（１／２）Ｘ２まで変えて総和をとることを表し、右側のΣは、ｌｒ（ＸＢ’＋ｉ，ＹＢ’＋ｊ）／（Ｘ２×Ｙ２）のｊを（−１／２）Ｙ２から（１／２）Ｙ２まで変えて総和をとることを表す。
【０１５３】
同様に、式（１１）において、ｌｇ（ＸＢ’＋ｉ，ＹＢ’＋ｊ）は、撮影画像上の点（ＸＢ’＋ｉ，ＹＢ’＋ｊ）における、観察ディスプレイ１８Ａの画素の緑（Ｇ）成分の値を表している。また、式（１１）の左側のΣは、ｌｇ（ＸＢ’＋ｉ，ＹＢ’＋ｊ）／（Ｘ２×Ｙ２）のｉを（−１／２）Ｘ２から（１／２）Ｘ２まで変えて総和をとることを表し、右側のΣは、ｌｇ（ＸＢ’＋ｉ，ＹＢ’＋ｊ）／（Ｘ２×Ｙ２）のｊを（−１／２）Ｙ２から（１／２）Ｙ２まで変えて総和をとることを表す。
【０１５４】
さらに、式（１２）において、ｌｂ（ＸＢ’＋ｉ，ＹＢ’＋ｊ）は、撮影画像上の点（ＸＢ’＋ｉ，ＹＢ’＋ｊ）における、観察ディスプレイ１８Ａの画素の青（Ｂ）成分の値を表している。また、式（１２）の左側のΣは、ｌｂ（ＸＢ’＋ｉ，ＹＢ’＋ｊ）／（Ｘ２×Ｙ２）のｉを（−１／２）Ｘ２から（１／２）Ｘ２まで変えて総和をとることを表し、右側のΣは、ｌｂ（ＸＢ’＋ｉ，ＹＢ’＋ｊ）／（Ｘ２×Ｙ２）のｊを（−１／２）Ｙ２から（１／２）Ｙ２まで変えて総和をとることを表す。
【０１５５】
演算部３１６は、式（１０）、式（１１）、および式（１２）をそれぞれ演算することによって、選択部３１３によって選択された測定対象ディスプレイ１１の画素の色単位のデータを、撮影画像データから演算する。なお、演算部３１６は、高速カメラ１２から供給された、全ての撮影画像データについて、選択された測定対象ディスプレイ１１の画素の色単位のデータを演算する。演算部３１６は、高速カメラ１２から供給された、各フィールド（コマ）間の複数のタイミングで撮影された撮影画像データについて、測定対象ディスプレイ１１の選択された画素の色単位のデータを演算する。
【０１５６】
ステップＳ５５において、表示部３１１は、演算された色単位のデータを基に、観察ディスプレイ１８Ａに色単位のデータに基づく値を表示して、処理は終了する。これにより、観察ディスプレイ１８Ａには、例えば、図１５に示す測定対象ディスプレイ１１（LCD）の応答特性を示す値（画像）が表示される。
【０１５７】
図１５において、横軸は時間を表し、縦軸は測定対象ディスプレイ１１の１つの画素の色単位の値（Ｒ、Ｇ、またはＢの値）を表している。この例では、16msに８回の割合で高速カメラ１２による撮影が行われている。また、曲線５１１乃至曲線５１３のそれぞれは、１つの画素の値を０からそれより大きい所定の値に切り替えたときの、その画素のＲの値、Ｇの値、およびＢの値のそれぞれの時間的変化を表している。
【０１５８】
曲線５１１乃至曲線５１３のそれぞれの値は、値の切り替えの始めの部分（0ms）から8msまでは０のままであり、その後、徐々に増大し、切り替え後、24ms以降は、出力すべき値を維持していることが分かる。そして、Ｒ成分の変化はＧ、Ｂ成分の変化に比べて遅いことが分かる。
【０１５９】
曲線５２１乃至曲線５２３のそれぞれは、１つの画素の値を所定の値から０に切り替えたときの、その画素のＲの値、Ｇの値、およびＢの値のそれぞれの時間的変化を表している。
【０１６０】
曲線５２１乃至曲線５２３のそれぞれの値は、値の切り替えの始めの部分（0ms）から6msまでは画素の値を０に切り替える前の所定の値のままであり、その後、徐々に減少し、16msあるいは24ms以降は、曲線５２１乃至曲線５２３のそれぞれの値が０となっていることが分かる。そして、Ｒ成分の変化はＧ、Ｂ成分の変化に比べて速いことが分かる。
【０１６１】
このようにして、データ処理装置１８は、キャリブレーション処理により求めた、撮影画像データを測定対象ディスプレイ１１の画素データに変換する式を用いて、測定対象ディスプレイ１１（LCD）の画素の色単位のデータを、撮影画像データから演算する。
【０１６２】
このように、測定対象ディスプレイ１１の画素の色単位のデータを演算することによって、測定対象ディスプレイ１１の画素のそれぞれについて、時間方向の特性をより短い時間を単位として測定し、評価することができる。したがって、測定対象ディスプレイ１１の特性を迅速かつより正確に測定し、評価することができる。また、測定対象ディスプレイ１１の画素の色単位のデータを演算することによって、例えば、所定の領域における画素ごとの輝度の値のばらつきを評価することができる。これにより、測定の対象である測定対象ディスプレイ１１が、設計値通りに発光しているか否かを、測定対象ディスプレイ１１の画素ごとに評価することができる。
【０１６３】
同様に、撮影画像データを、測定対象ディスプレイ１１の画素データに変換する式を用いることで、観察ディスプレイ１８Ａの表示画面上における、撮影された測定対象ディスプレイ１１の画素内の任意の１点（の画像を表示する観察ディスプレイ１８Ａの画素）の輝度の値を求めることもできるので、観察ディスプレイ１８Ａの表示画面上における測定対象ディスプレイ１１の画素（撮影画素）内の輝度の値のばらつきを評価することができる。
【０１６４】
さらに、測定対象ディスプレイ１１が、１フィールド（１コマ）分の画像を表示している間に、測定対象ディスプレイ１１の表示画面（に表示されている画像）を複数枚撮影することにより、測定対象ディスプレイ１１の１つの画素の時間方向の特性を、より短い時間を単位として測定し、評価することができる。
【０１６５】
例えば、測定対象ディスプレイ１１としてのPDPを台１４上に配置し、１／６０秒で１フィールドの画像を表示させ、その画像を高速カメラ１２に、５００コマ／秒で撮影させることによって、PDPが表示した画像のサブフィールドごとの特性を測定し、評価することができる。
【０１６６】
以下、図１６のフローチャートを参照して、データ処理装置１８が、測定対象ディスプレイ１１としてのPDPに表示されたサブフィールドの特性を測定する処理である、PDPのサブフィールド特性の測定処理を説明する。
【０１６７】
ステップＳ８１において、表示部３１１は、測定対象ディスプレイ１１（PDP）に、測定の対象となる画像（測定対象画像）を表示させる。具体的には、表示部３１１は、映像信号発生器１５を制御し、映像信号発生器１５に、測定対象画像を表示させるための映像信号を発生させ、発生した映像信号を測定対象ディスプレイ１１に供給させる。そして、測定対象ディスプレイ１１（PDP）は、例えば、映像信号発生器１５から供給された映像信号を基に、測定対象ディスプレイ１１の表示画面に、測定対象画像として、１／６０秒で１フィールドの画像を表示する。
【０１６８】
測定者がデータ処理装置１８を操作することによって、測定対象画像の撮影を指示すると、入力部３１５から撮影部３１２に、測定者の操作に応じて、測定対象画像の撮影を指示する入力信号が供給されるので、ステップＳ８２において、撮影部３１２は、測定対象ディスプレイ１１（PDP）の表示画像を、高速カメラ１２で撮影する。すなわち、ステップＳ８２において、撮影部３１２は、入力部３１５からの入力信号に応じて、コントローラ１７が、高速カメラ１２に測定対象画像を撮影させるように、コントローラ１７を制御する。そして、高速カメラ１２は、コントローラ１７の制御のもと、同期信号発生器１６からの同期信号に同期して、測定対象ディスプレイ１１（PDP）の表示画像（測定対象画像）を撮影し、これにより得られる撮影画像データを、コントローラ１７を介してデータ処理装置１８に供給する。
【０１６９】
例えば、高速カメラ１２は、測定対象ディスプレイ１１（PDP）に表示された測定対象画像を５００コマ／秒で撮影する。なお、高速カメラ１２の位置は、キャリブレーション処理を行ったときの高速カメラ１２の位置のままとされる。
【０１７０】
例えば、測定対象ディスプレイ１１に、１つのサブフィールドの周期を１／５００秒とし、フィールドの周期を１／６０秒として測定対象画像（例えば、人の顔の画像）を表示させ、その画像をフィールドの画像の表示と同期させて、６０コマ／秒で高速カメラ１２により撮影した場合、観察ディスプレイ１８Ａには、１つの撮影画像として、図１７に示すような画像が表示される。
【０１７１】
図１７では、撮影画像として、人の顔の画像が表示されている。高速カメラ１２は、測定対象ディスプレイ１１に表示された画像を、１フィールドの画像の表示時間と同じ時間で（露光時間で）１コマ撮影したので、撮影画像として得られる画像は、人間の目が、測定対象ディスプレイ１１を観察している場合に知覚する１フィールド分の画像と同様の画像となる。
【０１７２】
また、図１７における場合と同一の画像を、測定対象ディスプレイ１１に表示させ（１／６０秒で１フィールドの画像を表示させ）、その画像を、サブフィールドの画像の表示と同期させて、高速カメラ１２が５００コマ／秒で撮影した場合、観察ディスプレイ１８Ａには、１つの撮影画像として、例えば、図１８に示すような画像が表示される。
【０１７３】
図１８では、撮影画像として、人の顔と思われる画像が表示されていることが分かる。高速カメラ１２は、測定対象ディスプレイ１１に表示された画像を、１つのサブフィールドの画像の表示時間と同じ時間で（露光時間で）１コマ撮影したので、撮影画像として得られる画像は、１つのサブフィールドの画像として、測定対象ディスプレイ１１に表示される画像となる。したがって、測定対象ディスプレイ１１に表示される画像を、例えば、５００コマ／秒で撮影することによって、人間の目が、測定対象ディスプレイ１１を観察している場合には知覚することができない、サブフィールドの画像を撮影することができ、その撮影画像を基に、測定対象ディスプレイ１１のより正確な特性を測定し、評価することができる。
【０１７４】
図１６の説明に戻り、高速カメラ１２が、測定対象ディスプレイ１１の表示画像を撮影し、高速カメラ１２からデータ処理装置１８に撮影画像データが供給されると、ステップＳ８３において、変換部３１７は、高速カメラ１２から供給された撮影画像データを、測定対象ディスプレイ１１（PDP）の画素の色単位のデータに変換する。
【０１７５】
例えば、変換部３１７は、撮影画像データを、測定対象ディスプレイ１１の画素データに変換する式（値SADが最小となるＸ２、Ｙ２、θを、式（５）および式（６）に代入した式）を用いて、式（１０）、式（１１）、および式（１２）をそれぞれ演算することにより、撮影画像上の測定対象ディスプレイ１１の１つの画素のＲの値Ｐｒ、Ｇの値Ｐｇ、およびＢの値Ｐｂをそれぞれ求め、同様にして、撮影画像上の全ての測定対象ディスプレイ１１のＲの値Ｐｒ、Ｇの値Ｐｇ、およびＢの値Ｐｂを求めることによって、撮影画像データを、測定対象ディスプレイ１１（PDP）の画素の色単位のデータに変換する。このとき、変換部３１７は、高速カメラ１２から供給された全ての撮影画像データについて、上述した処理を行い、高速カメラ１２から供給された全ての撮影画像データを、それぞれ測定対象ディスプレイ１１（PDP）の画素の色単位のデータに変換する。
【０１７６】
ステップＳ８４において、演算部３１６は、変換部３１７が撮影画像データを変換することによって得られた、測定対象ディスプレイ１１の画素の色単位のデータを基に、測定対象ディスプレイ１１の各画面（各サブフィールドごとの撮影画像）における各色の値の平均値を演算する。
【０１７７】
例えば、演算部３１６は、測定対象ディスプレイ１１の画素の色単位のデータから、１つのサブフィールドの各画素のＲの値を抽出し、その各画素のＲの値の平均値を求める。同様に、演算部３１６は、そのサブフィールドの各画素のＧの値、およびＢの値をそれぞれ抽出し、その各画素のＧの値の平均値、およびＢの値の平均値をそれぞれ求める。
【０１７８】
以下同様にして、次のサブフィールドの各画素のＲの値の平均値、Ｇの値の平均値、およびＢの値の平均値を順次求めていくことにより、全ての測定対象ディスプレイ１１の画素の色単位のデータについて、各撮影画像における各色の値の平均値を演算する。
【０１７９】
ステップＳ８５において、表示部３１１は、色単位のデータに基づく値を、観察ディスプレイ１８Ａに表示して、処理は終了する。
【０１８０】
これにより、観察ディスプレイ１８Ａには、例えば、図１９に示す、色単位のデータに基づく値（の画像）が表示される。
【０１８１】
なお、図中、横軸は、撮影された撮影画像（サブフィールドの画像）の順番を表し、縦軸は、１つのサブフィールドにおける、測定対象ディスプレイ１１の画素のＲの値の平均値、Ｇの値の平均値、またはＢの値の平均値を表している。また、曲線５８１乃至曲線５８３は、それぞれ、各サブフィールドにおける、測定対象ディスプレイ１１の画素のＲの値の平均値、Ｇの値の平均値、およびＢの値の平均値を表している。
【０１８２】
図１９では、１番目乃至１１番目に表示されたサブフィールドの画像では、曲線５８１乃至曲線５８３の値は０であり、測定対象ディスプレイ１１には、画像が表示されていないことが分かる。また、１５番目乃至５０番目に表示されたサブフィールドの画像では、Ｂの曲線５８３の値が、Ｒの曲線５８１およびＧの曲線５８２の値に比べて大きく、全体的に青い色の画像が表示されていることが分かる。さらに、５７番目乃至７１番目に表示されたサブフィールドの画像では、Ｂの曲線５８３の値が、Ｒの曲線５８１およびＧの曲線５８２の値に比べて小さく、全体的に黄色い画像が表示されていることが分かる。
【０１８３】
以上のようにして、データ処理装置１８は、キャリブレーション処理により求めた、撮影画像データを測定対象ディスプレイ１１の画素データに変換する式を用いて、撮影画像データを、撮影された測定対象ディスプレイ１１（PDP）の画素単位のデータに変換する。
【０１８４】
このように、測定対象ディスプレイ１１にサブフィールドの画像が表示されるのと同期させて、測定対象ディスプレイ１１に表示されたサブフィールドの画像を撮影し、これにより得られた撮影画像データを、測定対象ディスプレイ１１の画素単位のデータに変換することによって、サブフィールドを単位とする測定対象ディスプレイ１１（PDP）の特性を測定し、評価することができる。
【０１８５】
ところで、人間がディスプレイに表示されている移動物体を観察する場合に、人間の目は、その移動物体を追従（追視）しながら観察するので、LCDでは、観察している移動物体がぼけて見えることが知られている。また、PDPでは、人間がディスプレイ（PDP）に表示されている移動物体を観察する場合に、蛍光体の発光特性により、移動物体の色がにじんで見えることが知られている。
【０１８６】
データ処理装置１８では、撮影画像データを基に、人間の目が知覚する動きぼけや色のにじみを再現することができる。図２０のフローチャートを参照して、データ処理装置１８が、撮影画像データを基に、動きぼけを再現した画像、またはその画像の各撮影画素の値を表示する、ぼけ特性の測定処理を説明する。
【０１８７】
ステップＳ１０１において、表示部３１１は、測定対象ディスプレイ１１に、測定の対象となる画像（測定対象画像）を表示させる。例えば、表示部３１１は、映像信号発生器１５を制御し、映像信号発生器１５に、測定対象画像を表示させるための映像信号を発生させ、発生した映像信号を測定対象ディスプレイ１１に供給させる。そして、測定対象ディスプレイ１１は、映像信号発生器１５から供給された映像信号を基に、測定対象ディスプレイ１１の表示画面に、測定対象画像を表示する。例えば、測定対象ディスプレイ１１は、測定対象画像として、測定対象ディスプレイ１１の表示画面上を所定の移動物体が所定の方向に移動していく、フィールド周波数が60Hzである画像のうちの、１フィールド分の画像を表示する。
【０１８８】
測定者がデータ処理装置１８を操作することによって、測定対象画像の撮影を指示すると、入力部３１５から撮影部３１２に、測定者の操作に応じて、測定対象画像の撮影を指示する入力信号が供給されるので、ステップＳ１０２において、撮影部３１２は、測定対象ディスプレイ１１に表示された表示画像（測定対象画像）を、高速カメラ１２で撮影する。すなわち、ステップＳ１０２において、撮影部３１２は、入力部３１５からの入力信号に応じて、コントローラ１７が、高速カメラ１２に測定対象画像を撮影させるように、コントローラ１７を制御する。そして、高速カメラ１２は、コントローラ１７の制御のもと、測定対象ディスプレイ１１に表示された測定対象画像を撮影し、これにより得られる撮影画像データを、コントローラ１７を介してデータ処理装置１８に供給する。
【０１８９】
例えば、ステップＳ１０２において、高速カメラ１２は、測定対象ディスプレイ１１に表示された測定対象画像を６００コマ／秒で、１コマ撮影する。なお、高速カメラ１２の位置は、キャリブレーション処理を行ったときの高速カメラ１２の位置のままとされる。
【０１９０】
ステップＳ１０３において、変換部３１７は、高速カメラ１２から供給された撮影画像データを、測定対象ディスプレイ１１の画素単位のデータに変換する。
【０１９１】
例えば、変換部３１７は、撮影画像データを、測定対象ディスプレイ１１の画素データに変換する式（値SADが最小となるＸ２、Ｙ２、θを、式（５）および式（６）に代入した式）を用いて、式（１０）、式（１１）、および式（１２）をそれぞれ演算することにより、撮影画像上の１つの測定対象ディスプレイ１１の画素のＲの値Ｐｒ、Ｇの値Ｐｇ、およびＢの値Ｐｂをそれぞれ求める。そして、変換部３１７は、求めた測定対象ディスプレイ１１の画素のＲの値Ｐｒ、Ｇの値Ｐｇ、およびＢの値Ｐｂを基に、式（１３）を演算することにより、その画素の輝度の値を求める。
【０１９２】
Ｅｙ＝（０．３×Ｐｒ）＋（０．５９×Ｐｇ）＋（０．１１×Ｐｂ）  ・・・（１３）
【０１９３】
ここで、Ｅｙは、測定対象ディスプレイ１１の画素のＲの値Ｐｒ、Ｇの値Ｐｇ、およびＢの値Ｐｂを基に求められる測定対象ディスプレイ１１の画素の輝度の値を示す。変換部３１７は、同様にして、撮影画像上の全ての測定対象ディスプレイ１１の画素の輝度の値Ｅｙを求めることによって、高速カメラ１２から供給された撮影画像データを、測定対象ディスプレイ１１の画素単位の輝度の値を示すデータに変換する。このとき、変換部３１７は、高速カメラ１２から供給された全ての撮影画像データについて、上述した演算を行い、高速カメラ１２から供給された全ての撮影画像データを、それぞれ測定対象ディスプレイ１１の画素単位の輝度の値を示すデータに変換する。
【０１９４】
ステップＳ１０４において、演算部３１６は、測定対象ディスプレイ１１に表示されている移動物体の１フィールド当たりの動き量ｖｘ、ｖｙを演算する。
【０１９５】
例えば、撮影画像上において、図７を参照して説明した、撮影画像の中心を基準とし、Ｘ方向に平行な直線、およびＹ方向に平行な直線を軸とする座標系における、測定対象ディスプレイ１１に表示されている移動物体の、１フィールド当たりのＸ方向の動き量をｖｘ、移動物体のＹ方向の動き量をｖｙとすると、演算部３１６は、値SADが最小となるＸ２、Ｙ２、θを用いて、式（１４）、および式（１５）を演算することによって、移動物体の動き量ｖｘ、およびｖｙをそれぞれ求める。
【０１９６】
ｖｘ＝（Ｖｘ×Ｘ２）＋（Ｖｙ×Ｙ２×θ／（Ｌｙ／２））          ・・・（１４）
【０１９７】
ｖｙ＝（Ｖｙ×Ｙ２）＋（Ｖｘ×Ｘ２×θ／（Ｌｘ／２））          ・・・（１５）
【０１９８】
なお、ここで、ＶｘおよびＶｙは、それぞれ、測定対象ディスプレイ１１に表示する測定対象画像の入力画像（測定対象画像）データ上での、１フィールド当たりのＸ方向の動き量、およびＹ方向の動き量を表す。また、ＬｘおよびＬｙは、それぞれ、撮影画像のＸ方向の大きさ（長さ）およびＹ方向の大きさを表す。式（１４）では、傾き角θが０である場合のＸ方向の動き量ｖｘの大きさＶｘ×Ｘ２を、式（５）におけるときと同様に、傾き角θが０である場合のＹ方向の動き量ｖｙの大きさＶｙ×Ｙ２にθ／（Ｌｙ／２）を掛け合わせることにより得られる、傾き角θに対するｖｘの補正量だけ補正している。また、式（１５）では、傾き角θが０である場合のＹ方向の動き量ｖｙの大きさＶｙ×Ｙ２を、式（６）におけるときと同様に、傾き角θが０である場合のＸ方向の動き量ｖｘの大きさＶｘ×Ｘ２にθ／（Ｌｘ／２）を掛け合わせることにより得られる、傾き角θに対するｖｙの補正量だけ補正している。
【０１９９】
ステップＳ１０５において、正規化部３１８は、各画面（撮影画像）上の、測定対象ディスプレイ１１に表示されている移動物体の画素の値を正規化する。
【０２００】
例えば、測定対象ディスプレイ１１として、CRTを台１４上に配置して、測定対象ディスプレイ１１（CRT）に測定対象画像を表示させた場合、移動物体は、撮影画像上において、図２１に示すように移動する。
【０２０１】
図中、縦軸は上から下方向に向かう時刻を表しており、横方向の線は、各時刻における撮影画像を示している。また、１つの撮影画像上の丸は、撮影画像上における移動物体を表示する１つの画素（観察ディスプレイ１８Ａの画素）を表している。また、図中、右上から左下に向かう矢印は、各撮影画像上において、それぞれ対応する移動物体の位置の時間方向の変化を示している。
【０２０２】
CRTでは、表示画面を構成する複数の水平ライン（走査線）のそれぞれに沿って、内蔵している電子銃を走査させることで、画像（画面）を表示するため、各画素には、１フィールドの時間のうち、わずかな時間しか画像が表示されない。図２１では、１フィールドの画像を表示する間に、１０枚の撮影画像（測定対象ディスプレイ１１の表示画面の画像）が撮影されており、各フィールドの画像を撮影した撮影画像のうち、１枚目（１番目）の撮影画像（図中、１番上の撮影画像）には、移動物体が写っており、２番目乃至１０番目の撮影画像には、移動物体が写っていない。
【０２０３】
ここで、測定対象ディスプレイ１１に表示されている移動物体が、図７を参照して説明した、撮影画像の中心を基準とし、Ｘ方向に平行な直線、およびＹ方向に平行な直線を軸とする座標系において、一定の速度で移動し、移動物体の１フィールド当たりのＸ方向の動き量をｖｘ、Ｙ方向の動き量をｖｙ、測定対象ディスプレイ１１のフィールド周波数をｆｄ、１秒当たりに高速カメラ１２が撮影した撮影画像の枚数（コマ数）をｆｚとすると、撮影画像１枚（コマ）当たりのＸ方向の移動物体の動き量Ｖｚｘ、Ｙ方向の動き量Ｖｚｙは、それぞれ式（１６）、および式（１７）で表される。
【０２０４】
Ｖｚｘ＝ｖｘ×ｆｄ／ｆｚ                                        ・・・（１６）
【０２０５】
Ｖｚｙ＝ｖｙ×ｆｄ／ｆｚ                                        ・・・（１７）
【０２０６】
すなわち、撮影画像１枚当たりのＸ方向の移動物体の動き量Ｖｚｘは、移動物体の１フィールド当たりのＸ方向の動き量ｖｘに、測定対象ディスプレイ１１のフィールド周波数ｆｄをかけ算することにより得られる、１秒当たりの移動物体のＸ方向の動き量（ｖｘ×ｆｄ）を、１秒間に高速カメラ１２が撮影した撮影画像の枚数ｆｚで割ることによって得られる。同様に、撮影画像１枚当たりのＹ方向の移動物体の動き量Ｖｚｙは、移動物体の１フィールド当たりのＹ方向の動き量ｖｙに、測定対象ディスプレイ１１のフィールド周波数ｆｄをかけ算することにより得られる、１秒当たりの移動物体のＹ方向の動き量（ｖｙ×ｆｄ）を、１秒間に高速カメラ１２が撮影した撮影画像の枚数ｆｚで割ることによって得られる。
【０２０７】
高速カメラ１２が、１番始めに撮影した撮影画像を１番目の撮影画像、ｑ番目（但しｑは、２以上の整数）に撮影した撮影画像をｑ番目の撮影画像とすると、正規化部３１８は、ｑ番目の撮影画像を、Ｘ方向にｑＶｚｘ、Ｙ方向にｑＶｚｙだけ平行移動（シフト）させて、１番目の撮影画像から順番に、各撮影画像上の、測定対象ディスプレイ１１に表示されている移動物体の画素の値（例えば、輝度の値）を加算して、例えば、画素の値の最大値が２５５となるように正規化する（各画素の値が０乃至２５５の値で表現される場合、各画素の値を加算した値を、加算した回数（撮影画像の数）で割り算する）。すなわち、正規化部３１８は、各撮影画像を、移動物体の移動方向に空間的にずらして、撮影画像を合成する。
【０２０８】
一方、測定対象ディスプレイ１１として、LCDを台１４上に配置して、測定対象ディスプレイ１１（LCD）に測定対象画像を表示させた場合、移動物体は、撮影画像上において、図２２に示すように移動する。
【０２０９】
図中、縦軸は上から下方向に向かって時刻を表しており、横方向の線は、１つの撮影画像を示している。また、１つの撮影画像上の丸は、撮影画像上における移動物体を表示する１つの画素（観察ディスプレイ１８Ａの画素）を表している。さらに、図中、右上から左下に向かう矢印は、各撮影画像上において、それぞれ対応する移動物体の位置の時間方向の変化を示しており、ｖｘは、移動物体の１フィールド当たりの図中、左方向の動き量を表している。
【０２１０】
LCDでは、表示画面上の画素は、１フィールド（１コマ）の画像を表示する間、画像を表示するための所定の画素の値で発光し続ける。そして、１フィールドの画像を表示する時間が経過し、次のフィールドの画像を表示する時刻になると、表示画面上の画素は、次のフィールドの画像を表示するための画素の値で、さらにその次フィールドの画像を表示する時刻になるまで発光し続ける。すなわち、LCDでは、残像が表示される。図２２では、１フィールドの画像を表示する間に、１０枚（コマ）の撮影画像（測定対象ディスプレイ１１の表示画面の画像）が撮影されており、撮影画像上において、移動物体は、１フィールドの画像を表示する間、同じ位置に表示され続けている。また、移動物体は、１フィールドごとに、図中、左方向にｖｘだけ平行移動（シフト）させた位置に表示されている。
【０２１１】
測定対象ディスプレイ１１として、LCDを用いた場合、正規化部３１８は、例えば、各撮影画像を、移動物体の移動方向に空間的にずらして、各撮影画像上の、測定対象ディスプレイ１１に表示されている移動物体の画素の値（例えば、輝度の値）の平均値を演算し、撮影画像の平均画像を生成する。
【０２１２】
図２０のフローチャートの説明に戻り、正規化部３１８が、各撮影画像上の測定対象ディスプレイ１１に表示されている移動物体の画素の値（例えば、輝度の値）を正規化すると、ステップＳ１０６において、判定部３１９は、測定対象画像の全てのフィールドを測定したか否かを判定する。
【０２１３】
ステップＳ１０６において、測定対象画像の全てのフィールドを測定していないと判定された場合、処理はステップＳ１０１に戻り、それ以降の処理が繰り返される。
【０２１４】
ステップＳ１０６において、測定対象画像の全てのフィールドを測定したと判定された場合、処理はステップＳ１０７に進み、表示部３１１は、正規化した測定対象ディスプレイ１１の画素の値、または正規化した測定対象ディスプレイ１１の画素の値に基づく画像データを基に、観察ディスプレイ１８Ａに測定対象ディスプレイ１１の画素の値、または画像を表示して、処理は終了する。
【０２１５】
図２３は、測定対象ディスプレイ１１としてCRTを用いた場合に、観察ディスプレイ１８Ａに表示される動きぼけを再現した画像の例を表す。図中、複数個の四角形からなる、中央の長方形は、測定対象ディスプレイ１１としてのCRTに表示された移動物体であり、中央の長方形を構成する複数個の四角形は、それぞれ測定対象ディスプレイ１１の画素（撮影画素）を表している。また、移動物体は、CRTの表示画面上において、図中、左から右方向に対応する方向に移動させたものである。
【０２１６】
図２３では、移動物体は、図中、左右方向（移動物体の移動方向）にもぼけておらず、人間の目が、RCTに表示された移動物体を観察する場合に、特に、動きぼけは生じない、すなわち、移動物体がぼけて見えないことが分かる。
【０２１７】
これに対して図２４は、図２３で説明した移動物体と同一の移動物体を、測定対象ディスプレイ１１としてのLCDに表示させた場合に、観察ディスプレイ１８Ａに表示される人間の目が知覚する動きぼけを再現した画像の例を表す。
【０２１８】
図２４において、移動物体は、ハッチングが施されていない長方形からなる領域５８１、右下がりのハッチングが施されている長方形からなる領域５８２、および右上がりのハッチングが施されている長方形からなる領域５８３のそれぞれからなる長方形で表されている。また、ハッチングが施されていない長方形からなる領域５８１は、図中、横方向に並んでいる測定対象ディスプレイ１１の画素（撮影画素）が重なり合っている画像を表しており、図２３における場合とは異なり、移動物体を表示する撮影画素を識別することができない。
【０２１９】
また、図中、領域５８１の右側の、右下がりのハッチングが施されている長方形からなる領域５８２は、移動物体の右側のエッジ（移動物体と背景との境界）の部分の領域を表している。領域５８２の画像は、領域５８１の画像に比べて低い輝度で表示されており、移動物体の輪郭がぼけていることが分かる。同様に、図中、領域５８１の左側の、右上がりのハッチングが施されている長方形からなる領域５８３は、移動物体の左側のエッジ（移動物体と背景との境界）の部分の領域を表している。領域５８３の画像は、領域５８１の画像に比べて低い輝度で表示されており、移動物体の輪郭がぼけていることが分かる。
【０２２０】
このように、図２４では、移動物体が、図２３に示した移動物体と比べて、図中、左右方向に、１．５倍程度に広がっており、移動物体そのもの、特に、移動物体の輪郭がぼけて見えることが分かる。
【０２２１】
さらに、表示部３１１は、正規化部３１８から供給された、正規化された測定対象ディスプレイ１１の画素の値を基に、観察ディスプレイ１８Ａに、図２５に示すような、撮影画像上の、測定対象ディスプレイ１１の画素の正規化された輝度の値を表示させることができる。
【０２２２】
図中、縦軸は、測定対象ディスプレイ１１の画素の正規化された輝度の値を表し、横軸は、所定の位置を基準とした、観察ディスプレイ１８Ａの画素の位置を表している。例えば、横軸の“７”は、基準となる観察ディスプレイ１８Ａの画素に対応する、測定対象ディスプレイ１１の画素（撮影画素）から、移動物体の移動方向に数えて７番目の撮影画素の位置を表す。
【０２２３】
また、曲線５９１および曲線５９２は、測定対象ディスプレイ１１としてそれぞれ異なるLCDを用いた場合の、撮影画像上における、LCDの各画素（測定対象ディスプレイ１１の画素）の輝度の値の変化をそれぞれ示し、曲線５９３は、測定対象ディスプレイ１１として、CRTを用いた場合の、撮影画像上における、CRTの各画素（測定対象ディスプレイ１１の画素）の輝度の値の変化を示している。
【０２２４】
曲線５９３は、９番目の画素乃至１２番目の画素まで、それぞれ隣り合う画素の輝度の値が、その境界において急激に変化しており、移動物体の輪郭がぼけていないことがわかる。また、曲線５９１および曲線５９２のそれぞれは、１０番目の画素乃至１７番目の画素まで、それぞれの測定対象ディスプレイ１１（LCD）の画素の輝度の値が、図中、左側から右側にいくにつれて、徐々に大きくなっており、移動物体の輪郭がぼけていることが分かる。
【０２２５】
さらに、図２６は、測定対象ディスプレイ１１としてPDPを用いて、PDPに移動物体を、図中、右側から左側に移動させた画像を表示させて、PDPの表示画面を撮影した撮影画像を示す図である。
【０２２６】
図中、矢印は時刻を示し、撮影画像６０１−１乃至撮影画像６０１−８のそれぞれは、測定対象ディスプレイ１１としてのPDPの表示画面を撮影した撮影画像を表し、撮影画像６０１−１乃至撮影画像６０１−８のそれぞれは、撮影画像６０１−１から撮影画像６０１−８まで、撮影された順番に並べられている。図中、撮影画像６０１−１乃至撮影画像６０１−８のそれぞれには移動物体の画像が写っており、移動物体がサブフィールドごとに、異なる色で表示されていることが分かる。なお、以下、撮影画像６０１−１乃至撮影画像６０１−８のそれぞれを、個々に区別する必要のない場合、単に撮影画像６０１と称する。
【０２２７】
また、データ処理装置１８が、図２０のステップＳ１０３の処理乃至ステップＳ１０７の処理を行うことによって、これらの撮影画像６０１−１乃至撮影画像６０１−８のそれぞれを、移動物体の移動方向に空間的にずらして合成すると、例えば、観察ディスプレイ１８Ａには、図２７に示すような画像が表示される。
【０２２８】
図２７に示す画像は、例えば、４フィールド分の画像を測定対象ディスプレイ１１としてのPDPに表示させて、PDPの表示画面を撮影した撮影画像６０１を基に合成された、PDPにおける移動物体の色のにじみを再現した画像である。
【０２２９】
図２７では、画像の中央に移動物体が表示されている。移動物体の移動方向は、図中、右から左の方向であり、PDPでは青く発光する蛍光体の応答速度に比べて、赤く発光する蛍光体、および緑に発光する蛍光体の応答速度が遅いため、移動物体の図中、右側の部分の領域７０１、すなわち、実際には、移動物体が既に通り過ぎてしまった部分の領域は黄色く見え、移動物体の図中、左側の部分の領域７０２、すなわち、移動物体の移動方向の先頭の部分の領域は青く見える。
【０２３０】
以上のようにして、データ処理装置１８は、キャリブレーション処理により求めた、撮影画像データを測定対象ディスプレイ１１の画素データに変換する式を用いて、撮影画像データを、撮影された測定対象ディスプレイ１１の画素単位のデータに変換する。そして、データ処理装置１８は、画素単位のデータを基に、各撮影画像上の、測定対象ディスプレイ１１に表示されている移動物体の画素の値を正規化する。
【０２３１】
このように、画素単位のデータを基に、各撮影画像上の、測定対象ディスプレイ１１に表示されている移動物体の画素の値を正規化することによって、測定対象ディスプレイ１１に表示された画像を、人間の目が知覚する画像をより正確に再現することができ、また、その過程の時系列の撮影画像を得ることもできる。さらに、測定対象ディスプレイ１１に表示されている移動物体の画素の値を正規化することによって、人間の目が知覚する画像を、数値で評価することができ、これにより、人間の視覚特性では評価することができない特性を定量的に評価することができる。
【０２３２】
なお、測定対象ディスプレイ１１の特性を測定する場合、高速カメラ１２が、測定対象ディスプレイ１１の表示画像を撮影する撮影画像のコマ数は、少なくとも、１秒間に表示されるサブフィールドの画像の数以上の数（コマ）とする。したがって、例えば、高速カメラ１２は、１秒間に、フィールド周波数の１０倍程度のコマ数を撮影することが望ましい。高速カメラ１２が、１つのサブフィールドの画像を複数枚撮影し、それらの撮影画像上の画素の値の平均値を用いることで、より正確な測定を行うことができる。
【０２３３】
上述した、測定対象ディスプレイ１１の表示画面を撮影した撮影画像データから、測定対象ディスプレイ１１の画素単位のデータを求め、さらに、その画素単位のデータを用いて、測定対象ディスプレイ１１の特性を測定する方法は、例えば、表示装置（ディスプレイ）の開発時におけるデバッグ作業、映画やアニメーションの編集作業などに適用することができる。
【０２３４】
例えば、映画やアニメーションの編集作業時に、入力画像に対して、実際のディスプレイ（表示画面）での見え方を評価することで、動きぼけや色のにじみをより少なくするためのより高度な編集を行うことができる。また、例えば、自社の表示装置の特性と、他社の表示装置の特性とを同じ条件で測定し、それぞれの測定結果を比較することで、他社が、自社の特許技術を利用しているか否かの解析を行うことができる。
【０２３５】
以上のように、本発明によれば、測定の対象となる表示装置に、１フィールドの期間に、測定の対象となる表示装置に表示される画像を、複数枚撮影するようにしたので、測定の対象となる表示装置の時間方向の特性を、より短い時間を単位として測定し、評価することができる。また、本発明によれば、測定の対象となる表示装置の表示画面を撮影したデータから、測定の対象となる表示装置の画素単位のデータを求めるようにしたので、測定の対象となる表示装置の特性を迅速かつより正確に測定し、評価することができる。
【０２３６】
なお、測定システム１においては、高速カメラ１２、映像信号発生器１５、同期信号発生器１６、およびコントローラ１７のうちの任意のものが、データ処理装置１８に含まれる構成としてもよい。また、測定対象ディスプレイ１１の特性を測定する場合、高速カメラ１２が撮影することにより得られた撮影画像データを、例えば、光ディスクや磁気ディスクなどのリムーバブルメディア１３１に予め記録しておき、リムーバブルメディア１３１から、データ処理装置１８に撮影画像データを供給するようにしてもよい。
【０２３７】
さらに、キャリブレーション処理を行うために、測定対象ディスプレイ１１に表示させる基準画像は、測定対象ディスプレイ１１の特性を測定するための画像の１番目のフィールドの画像として表示させ、キャリブレーション処理を行った後、２番目以降のフィールドの画像を表示して撮影し、測定対象ディスプレイ１１の特性を測定するようにしてもよい。
【０２３８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２３９】
この記録媒体は、図２に示すように、コンピュータとは別に、ユーザにプログラムを提供するために配布される、プログラムが記録されている磁気ディスク（フレキシブルディスクを含む）、光ディスク（CD-ROM(Compact Disc-Read Only Memory)、ＤＶＤ(Digital Versatile Disc)を含む）、光磁気ディスク（ＭＤ(Mini-Disc)（商標）を含む）、若しくは半導体メモリなどよりなるリムーバブルメディア１３１により構成されるだけでなく、コンピュータに予め組み込まれた状態でユーザに提供される、プログラムが記録されているROM１２２や、記憶部１２８に含まれるハードディスクなどで構成される。
【０２４０】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０２４１】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２４２】
なお、本明細書において、システムとは、複数の装置により構成される装置全体を表すものである。
【図面の簡単な説明】
【０２４３】
【図１】本発明を適用した測定システムの一実施の形態の構成例を示す図である。
【図２】データ処理装置の構成例を示すブロック図である。
【図３】高速カメラが撮影した画像の軸の、測定対象ディスプレイの表示画面の画素を基準とした軸に対する傾き角θを説明する図である。
【図４】データ処理装置のキャリブレーション部のソフトウェアを中心とした機能的構成を示すブロック図である。
【図５】データ処理装置の測定部のソフトウェアを中心とした機能的構成を示すブロック図である。
【図６】キャリブレーション処理を説明するフローチャートである。
【図７】キャリブレーション処理を説明するための図である。
【図８】差分絶対値和を表す値SADが最小となるＸ２、Ｙ２、θを求めた結果を表示した画面の一例を示す図である。
【図９】クロスハッチによるキャリブレーション処理を説明するフローチャートである。
【図１０】測定対象ディスプレイに表示されたクロスハッチ画像を説明する図である。
【図１１】撮影されたクロスハッチ画像を表示した画面の一例を示す図である。
【図１２】差分絶対値和を表す値SADが最小となるＸ２、Ｙ２、θを求めた結果を表示した画面の一例を示す図である。
【図１３】LCDの応答特性の測定処理を説明するフローチャートである。
【図１４】撮影された測定対象ディスプレイの画素を表示する画面の一例を示す図である。
【図１５】LCDの応答特性を示す図である。
【図１６】PDPのサブフィールド特性の測定処理を説明するフローチャートである。
【図１７】測定対象ディスプレイの画面を撮影した画像の一例を示す図である。
【図１８】測定対象ディスプレイの画面を撮影した画像の一例を示す図である。
【図１９】PDPのサブフィールド特性を説明する図である。
【図２０】ぼけ特性の測定処理を説明するフローチャートである。
【図２１】測定対象ディスプレイ上に表示された移動物体の移動を説明する図である。
【図２２】測定対象ディスプレイ上に表示された移動物体の移動を説明する図である。
【図２３】動きぼけを再現した画像の一例を示す図である。
【図２４】動きぼけを再現した画像の一例を示す図である。
【図２５】動きぼけを再現した画像の各画素の輝度の値の変化を説明する図である。
【図２６】測定対象ディスプレイに表示されたサブフィールドを撮影した画像を説明する図である。
【図２７】動きぼけを再現した画像の一例を示す図である。
【符号の説明】
【０２４４】
１１  測定対象ディスプレイ，  １２  高速カメラ，  １５  映像信号発生器，  １６  同期信号発生器，  １７  コントローラ，  １８  データ処理装置，  １２１  CPU，  １２２  ROM，  １２３  RAM，  １２８  記憶部，  １３１  リムーバブルメディア，  ２０１  キャリブレーション部，  ２１１  表示部，  ２１２  撮影部，  ２１３  拡大部，  ２１５  演算部，  ２１６  配置部，  ２１７  生成部，  ３０１  測定部，  ３１１  表示部，  ３１２  撮影部，  ３１３  選択部，  ３１４  拡大部，  ３１５  入力部，  ３１６  演算部，  ３１７  変換部，  ３１８  正規化部，  ３１９  判定部
【図１】
2006243518.tif 000007
【図２】
2006243518.tif 000008
【図３】
2006243518.tif 000009
【図４】
2006243518.tif 000010
【図５】
2006243518.tif 000011
【図６】
2006243518.tif 000012
【図７】
2006243518.tif 000013
【図８】
2006243518.tif 000014
【図９】
2006243518.tif 000015
【図１０】
2006243518.tif 000016
【図１１】
2006243518.tif 000017
【図１２】
2006243518.tif 000018
【図１３】
2006243518.tif 000019
【図１４】
2006243518.tif 000020
【図１５】
2006243518.tif 000021
【図１６】
2006243518.tif 000022
【図１７】
2006243518.tif 000023
【図１８】
2006243518.tif 000024
【図１９】
2006243518.tif 000025
【図２０】
2006243518.tif 000026
【図２１】
2006243518.tif 000027
【図２２】
2006243518.tif 000028
【図２３】
2006243518.tif 000029
【図２４】
2006243518.tif 000030
【図２５】
2006243518.tif 000031
【図２６】
2006243518.tif 000032
【図２７】
2006243518.tif 000033